(57)【要約】  本発明にかかる通信システムは、ＮＤ装置（１）が、端末（８）宛の下りデータフレームを複製し、得られた各下りデータフレームをそれぞれ異なるＡＰ（３−１〜３−３）経由で送信する下りデータフレーム複製送信手段と、同一上りデータフレームをそれぞれ異なるＡＰ（３−１〜３−３）経由で複数受信した場合に、各上りデータフレームの中から選択したいずれか一つをその宛先へ送信する上りデータフレーム選択送信手段と、を備え、ＮＤ装置（２）が、端末（８）から受信した上りデータフレームを複製し、得られた各上りデータフレームをそれぞれ異なるＳＴＡ（４−１，４−２）経由で送信する上りデータフレーム複製送信手段と、同一下りデータフレームをそれぞれ異なるＳＴＡ（４−１，４−２）経由で複数受信した場合に、各下りデータフレームの中から選択したいずれか一つを端末（８）へ送信する下りデータフレーム送信転送手段と、を備える。
2008099446.tif 000002
【特許請求の範囲】
【請求項１】
複数の無線基地局と、当該複数の無線基地局に接続された第１のネットワークダイバーシチ装置と、当該複数の無線基地局のいずれか一つと無線接続しかつ単一の端末装置と有線接続された複数の無線端末局および当該複数の無線端末局に接続された第２のネットワークダイバーシチ装置を含む移動体と、を含んだ通信システムであって、
前記第１のネットワークダイバーシチ装置が、
前記端末装置宛の下りデータフレームを複製し、当該複製処理により得られた各下りデータフレームをそれぞれ異なる無線基地局経由で当該端末装置宛に送信する下りデータフレーム複製送信手段と、
同一内容の上りデータフレームをそれぞれ異なる無線基地局経由で複数受信した場合に、当該各上りデータフレームの中から選択したいずれか一つの上りデータフレームをその宛先へ送信する上りデータフレーム選択送信手段と、
を備え、
前記第２のネットワークダイバーシチ装置が、
前記端末装置から受信した上りデータフレームを複製し、当該複製処理により得られた各上りデータフレームをそれぞれ異なる無線端末局経由でその宛先へ送信する上りデータフレーム複製送信手段と、
同一内容の下りデータフレームをそれぞれ異なる無線端末局経由で複数受信した場合に、当該各下りデータフレームの中から選択したいずれか一つの下りデータフレームを前記端末装置へ送信する下りデータフレーム選択送信手段と、
を備えることを特徴とする通信システム。
【請求項２】
複数の無線基地局と、当該複数の無線基地局に接続された第１のネットワークダイバーシチ装置と、当該複数の無線基地局のいずれか一つと無線接続しかつ単一の端末装置と有線接続された複数の無線端末局および当該複数の無線端末局に接続された第２のネットワークダイバーシチ装置を含む移動体と、を含んだ通信システムであって、
前記第１のネットワークダイバーシチ装置が、
前記端末装置宛の下りデータフレームをカプセル化して生成した下りカプセル化データフレームを複製し、当該複製処理を実行して得られた各下りカプセル化データフレームをそれぞれ異なる無線基地局経由で前記第２のネットワークダイバーシチ装置宛に送信する下りデータフレーム複製送信手段と、
同一内容の上りカプセル化データフレームをそれぞれ異なる無線基地局経由で受信した場合に、当該各上りカプセル化データフレームの中から選択したいずれか一つの上りカプセル化データフレームをデカプセル化し、得られた上りデータフレームをその宛先へ送信する上りデータフレーム選択送信手段と、
を備え、
前記第２のネットワークダイバーシチ装置が、
前記端末装置から受信した上りデータフレームをカプセル化して生成した上りカプセル化データフレームを複製し、当該複製処理を実行して得られた各上りカプセル化データフレームをそれぞれ異なる無線端末局経由で前記第１のネットワークダイバーシチ装置宛に送信する上りデータフレーム複製送信手段と、
同一内容の下りカプセル化データフレームをそれぞれ異なる無線端末局経由で複数受信した場合に、当該各下りカプセル化データフレームの中から選択したいずれか一つの下りカプセル化データフレームを、前記端末装置へ送信する下りデータフレーム選択送信手段と、
を備えることを特徴とする通信システム。
【請求項３】
前記無線基地局が、
前記無線端末局により生成送信された上り無線データフレームに含まれる送信元端末装置のアドレス情報および当該無線端末局のアドレス情報を関連付けて保持しておく無線端末局アドレス保持手段と、
前記上り無線データフレームに基づいて生成した上りカプセル化データフレームを前記第１のネットワークダイバーシチ装置へ送信する上りカプセル化データフレーム送信手段と、
前記第１のネットワークダイバーシチ装置により生成送信された下りカプセル化データフレームに基づいて生成した下り無線データフレームを、当該下りカプセル化データフレームに含まれる宛先端末装置のアドレス情報および前記無線端末局アドレス保持手段が保持している情報に基づいて決定した送信先無線端末局へ送信する下り無線データフレーム送信手段と、
を備え、
前記無線端末局が、
無線基地局から受信した下り無線データフレームに基づいて生成した下りカプセル化データフレームを、前記第２のネットワークダイバーシチ装置へ送信する下りカプセル化データフレーム送信手段と、
前記第２のネットワークダイバーシチ装置から受信した上りカプセル化データフレームに基づいて生成した上り無線データフレームを接続中の無線基地局へ送信する上り無線データフレーム送信手段と、
を備えることを特徴とする請求項２に記載の通信システム。
【請求項４】
前記無線基地局が、
接続するネットワークダイバーシチ装置を探査するためのＮＤ装置探索要求フレームを自局の起動時にブロードキャスト送信し、また、当該ＮＤ装置探索要求フレームに対する応答フレームを送信したネットワークダイバーシチ装置のアドレス情報を保持しておく第１のネットワークダイバーシチ装置探索手段と、
無線端末局により生成送信された上り無線データフレームに含まれる送信元端末装置のアドレス情報および当該無線端末局のアドレス情報を関連付けて保持しておく無線端末局アドレス保持手段と、
無線端末局により生成送信された上り無線データフレームに基づいて生成した上りカプセル化データフレームの宛先アドレスに前記第１のネットワークダイバーシチ装置探索手段が保持しているアドレス情報を設定し、当該上りカプセル化データフレームをその宛先へ送信する上りカプセル化データフレーム送信手段と、
前記第１のネットワークダイバーシチ装置から受信した下りカプセル化データフレームに基づいて生成した下り無線データフレームを、当該下りカプセル化データフレームに含まれる宛先端末装置のアドレス情報および前記無線端末局アドレス保持手段が保持している情報に基づいて決定した送信先無線端末局へ送信する下り無線データフレーム送信手段と、
を備え、
前記無線端末局が、
接続するネットワークダイバーシチ装置を探査するためのＮＤ装置探索要求フレームを自局の起動時にブロードキャスト送信し、また、当該ＮＤ装置探索要求フレームに対する応答フレームを送信したネットワークダイバーシチ装置のアドレス情報を保持しておく第２のネットワークダイバーシチ装置探索手段と、
前記無線基地局から受信した下り無線データフレームに基づいて生成した下りカプセル化データフレームの宛先アドレスに前記第２のネットワークダイバーシチ装置探索手段が保持しているアドレス情報を設定し、当該下りカプセル化データフレームを送信する下りカプセル化データフレーム送信手段と、
前記第２のネットワークダイバーシチ装置から受信した上りカプセル化データフレームに基づいて生成した上り無線データフレームを接続中の無線基地局へ送信する上り無線データフレーム送信手段と、
を備えることを特徴とする請求項２に記載の通信システム。
【請求項５】
前記第１のネットワークダイバーシチ装置が、さらに、
前記デカプセル化処理を実行して得られた上りデータフレームに含まれる送信元端末装置のアドレス情報および前記上りカプセル化データフレームを送信した無線基地局のアドレス情報を関連付けて保持しておく基地局アドレス保持手段、
を備え、
前記下りデータフレーム複製送信手段は、下りカプセル化データフレームを複製した場合、前記下りデータフレームの宛先アドレスおよび前記基地局アドレス保持手段が保持している情報に基づいて、複製した下りカプセル化データフレームに設定する宛先アドレスを決定することを特徴とする請求項２に記載の通信システム。
【請求項６】
前記第１のネットワークダイバーシチ装置が、さらに、
経路学習を行うためのＡＲＰ（Address  Resolution  Protocol）パケットを受信した場合、前記基地局アドレス保持手段が保持している情報に基づいて、当該ＡＲＰパケットに対する応答パケットを自身に接続している無線基地局に代わって生成するＡＲＰ応答パケット生成手段、
を備えることを特徴とする請求項５に記載の通信システム
【請求項７】
複数の無線基地局と、当該複数の無線基地局に接続された第１のネットワークダイバーシチ装置と、当該複数の無線基地局のいずれか一つと無線接続しかつ単一の端末装置と有線接続された複数の無線端末局および当該複数の無線端末局に接続された第２のネットワークダイバーシチ装置を含む移動体と、を含んだ通信システムであって、
前記第１のネットワークダイバーシチ装置が
前記端末装置宛の下りデータフレームをカプセル化して生成した下りカプセル化データフレームを複製し、さらに、当該複製処理を実行して得られた各下りカプセル化データフレームの送信元アドレスとして、自身に割り当てられた複数のＭＡＣアドレスのいずれかを、互いに重複しないように設定し、また、当該各下りデータフレームの宛先アドレスとして、予め取得しておいた前記第２のネットワークダイバーシチ装置へ割り当てられた複数のＭＡＣアドレスのいずれかを、互いに重複しないように設定して、各下りカプセル化データフレームをそれぞれ異なる無線基地局経由で送信する下りデータフレーム複製送信手段と、
同一内容の上りカプセル化データフレームをそれぞれ異なる無線基地局経由で複数受信した場合、当該複数受信した上りカプセル化データフレームのいずれかを選択し、当該選択した上りカプセル化データフレームをデカプセル化して生成した上りデータフレームをその宛先へ送信する上りデータフレーム選択送信手段と、
を備え、
前記第２のネットワークダイバーシチ装置が、
前記端末装置から受信した上りデータフレームをカプセル化して生成した上りカプセル化データフレームを複製し、さらに、当該複製処理を実行して得られた各上りカプセル化データフレームの送信元アドレスとして、自身に割り当てられた複数のＭＡＣアドレスのいずれかを、互いに重複しないように設定し、また、当該各上りデータフレームの宛先アドレスとして、予め取得しておいた前記第１のネットワークダイバーシチ装置へ割り当てられた複数のＭＡＣアドレスのいずれかを、互いに重複しないように設定して、各上りカプセル化データフレームをそれぞれ異なる前記無線端末局経由で送信する上りデータフレーム複製送信手段と、
同一内容の下りカプセル化データフレームをそれぞれ異なる無線端末局経由で複数受信した場合、当該複数受信した下りカプセル化データフレームのいずれかを選択し、当該選択した下りカプセル化データフレームをデカプセル化して生成した下りデータフレームをその宛先へ送信する下りデータフレーム選択送信手段と、
を備えることを特徴とする通信システム。
【請求項８】
複数の無線基地局と、当該複数の無線基地局に接続された第１のネットワークダイバーシチ装置と、当該複数の無線基地局のいずれか一つと無線接続しかつ単一の端末装置と有線接続された複数の無線端末局および当該複数の無線端末局に接続された第２のネットワークダイバーシチ装置を含む移動体と、を含んだ通信システムであって、
前記第１のネットワークダイバーシチ装置が
前記端末装置宛の下りデータフレームをカプセル化して生成した下りカプセル化データフレームを複製し、当該複製処理を実行して得られた各下りカプセル化データフレームの宛先アドレスとして、予め取得しておいた前記第２のネットワークダイバーシチ装置へ割り当てられたＭＡＣアドレスを設定し、さらに、当該各下りカプセル化データフレームがそれぞれ異なる無線基地局へ送信されるように、予め取得しておいた各無線基地局のＶＬＡＮ識別子を各下りカプセル化データフレームに設定して送信する下りデータフレーム複製送信手段と、
同一内容の上りカプセル化データフレームをそれぞれ異なる無線基地局経由で複数受信した場合、当該複数受信した上りカプセル化データフレームのいずれかを選択し、当該選択した上りカプセル化データフレームをデカプセル化して生成した上りデータフレームをその宛先へ送信する上りデータフレーム選択送信手段と、
を備え、
前記第２のネットワークダイバーシチ装置が、
前記端末装置から受信した上りデータフレームをカプセル化して生成した上りカプセル化データフレームを複製し、当該複製処理を実行して得られた各上りカプセル化データフレームの宛先アドレスとして、予め取得しておいた前記第１のネットワークダイバーシチ装置へ割り当てられたＭＡＣアドレスを設定し、さらに、当該各上りカプセル化データフレームがそれぞれ異なる無線端末局へ送信されるように、予め取得しておいた各無線端末局のＶＬＡＮ識別子を各上りカプセル化データフレームに設定して送信する上りデータフレーム複製送信手段と、
同一内容の下りカプセル化データフレームをそれぞれ異なる無線端末局経由で複数受信した場合、当該複数受信した下りカプセル化データフレームのいずれかを選択し、当該選択した下りカプセル化データフレームをデカプセル化して生成した下りデータフレームをその宛先へ送信する下りデータフレーム選択送信手段と、
を備えることを特徴とする通信システム。
【請求項９】
前記無線基地局が、
接続するネットワークダイバーシチ装置を探査するためのＮＤ装置探索要求フレームを自局の起動時にブロードキャスト送信し、また、当該ＮＤ装置探索要求フレームに対する応答フレームを送信したネットワークダイバーシチ装置のアドレス情報（ＮＤアドレス情報）を保持しておく第１のネットワークダイバーシチ装置探索手段と、
無線端末局との間でリンクを確立した場合、前記第１のネットワークダイバーシチ装置探索手段が保持しているＮＤアドレス情報を当該無線端末局へ通知し、また、当該無線端末局が接続しているネットワークダイバーシチ装置のアドレス情報を当該無線端末局から取得する第１のアドレス情報交換手段と、
前記第１のアドレス情報交換手段が取得した前記無線端末局が接続しているネットワークダイバーシチ装置のアドレス情報を自身が接続しているネットワークダイバーシチ装置へ通知する第１のアドレス情報通知手段と、
を備え、
前記無線端末局が、
接続するネットワークダイバーシチ装置を探査するためのＮＤ装置探索要求フレームを自局の起動時にブロードキャスト送信し、また、当該ＮＤ装置探索要求フレームに対する応答フレームを送信したネットワークダイバーシチ装置のアドレス情報（ＮＤアドレス情報）を保持しておく第２のネットワークダイバーシチ装置探索手段と、
無線基地局との間でリンクを確立した場合、前記第２のネットワークダイバーシチ装置探索手段が保持しているＮＤアドレス情報を当該無線基地局へ通知し、また、当該無線基地局が接続しているネットワークダイバーシチ装置のアドレス情報を当該無線基地局から取得する第２のアドレス情報交換手段と、
前記第２のアドレス情報交換手段が取得した前記無線基地局が接続しているネットワークダイバーシチ装置のアドレス情報を自身が接続しているネットワークダイバーシチ装置へ通知する第２のアドレス情報通知手段と、
を備え、
前記下りデータフレーム複製送信手段は、前記第１のアドレス情報通知手段から通知されたアドレス情報を前記下りカプセル化データフレームの宛先アドレスに設定し、また、前記上りデータフレーム複製送信手段は、前記第２のアドレス情報通知手段から通知されたアドレス情報を前記上りカプセル化データフレームの宛先アドレスに設定することを特徴とする請求項７に記載の通信システム。
【請求項１０】
前記無線基地局が、
接続するネットワークダイバーシチ装置を探査するためのＮＤ装置探索要求フレームを自局の起動時にブロードキャスト送信し、また、当該ＮＤ装置探索要求フレームに対する応答フレームを送信したネットワークダイバーシチ装置のアドレス情報（ＮＤアドレス情報）を保持しておく第１のネットワークダイバーシチ装置探索手段と、
無線端末局との間でリンクを確立した場合、前記第１のネットワークダイバーシチ装置探索手段が保持しているＮＤアドレス情報を当該無線端末局へ通知し、また、当該無線端末局が接続しているネットワークダイバーシチ装置のアドレス情報を当該無線端末局から取得する第１のアドレス情報交換手段と、
前記第１のアドレス情報交換手段が取得した前記無線端末局が接続しているネットワークダイバーシチ装置のアドレス情報を自身が接続しているネットワークダイバーシチ装置へ通知する第１のアドレス情報通知手段と、
を備え、
前記無線端末局が、
接続するネットワークダイバーシチ装置を探査するためのＮＤ装置探索要求フレームを自局の起動時にブロードキャスト送信し、また、当該ＮＤ装置探索要求フレームに対する応答フレームを送信したネットワークダイバーシチ装置のアドレス情報（ＮＤアドレス情報）を保持しておく第２のネットワークダイバーシチ装置探索手段と、
無線基地局との間でリンクを確立した場合、前記第２のネットワークダイバーシチ装置探索手段が保持しているＮＤアドレス情報を当該無線基地局へ通知し、また、当該無線基地局が接続しているネットワークダイバーシチ装置のアドレス情報を当該無線基地局から取得する第２のアドレス情報交換手段と、
前記第２のアドレス情報交換手段が取得した前記無線基地局が接続しているネットワークダイバーシチ装置のアドレス情報を自身が接続しているネットワークダイバーシチ装置へ通知する第２のアドレス情報通知手段と、
を備え、
前記下りデータフレーム複製送信手段は、前記第１のアドレス情報通知手段から通知されたアドレス情報を前記下りカプセル化データフレームの宛先アドレスに設定し、また、前記上りデータフレーム複製送信手段は、前記第２のアドレス情報通知手段から通知されたアドレス情報を前記上りカプセル化データフレームの宛先アドレスに設定することを特徴とする請求項８に記載の通信システム。
【請求項１１】
前記下りデータフレーム複製送信手段が、前記下りカプセル化データフレームを複製せずに、自身に接続している無線基地局へのマルチキャスト送信時に使用するマルチキャストアドレスを当該下りカプセル化データフレームの宛先アドレスに設定して送信し、
前記上りデータフレーム複製送信手段が、前記上りカプセル化データフレームを複製せずに、自身に接続している無線端末局へのマルチキャスト送信時に使用するマルチキャストアドレスを当該上りカプセル化データフレームの宛先アドレスに設定して送信することを特徴とする請求項２〜１０のいずれか一つに記載の通信システム。
【請求項１２】
複数の無線基地局と接続し、当該無線基地局から受信した上りカプセル化データフレームをその宛先へ送信し、接続しているネットワークから受信した下りデータフレームを当該無線基地局経由でその宛先端末装置へ送信する通信装置であって、
前記ネットワークから受信した下りデータフレームをカプセル化して生成した下りカプセル化データフレームを複製し、当該複製処理を実行して得られた各下りカプセル化データフレームをそれぞれ異なる無線基地局宛に送信する下りデータフレーム複製送信手段と、
同一内容の上りカプセル化データフレームをそれぞれ異なる無線基地局経由で複数受信した場合、当該複数受信した上りカプセル化データフレームのいずれかを選択し、当該選択した上りカプセル化データフレームをデカプセル化して生成した上りデータフレームをその宛先へ送信する上りデータフレーム選択送信手段と、
を備えることを特徴とする通信装置。
【請求項１３】
さらに、
前記デカプセル化処理を実行して得られた上りデータフレームに含まれる送信元端末装置のアドレス情報および前記上りカプセル化データフレームを送信した無線基地局のアドレス情報を関連付けて保持しておく基地局アドレス保持手段、
を備え、
前記下りデータフレーム複製送信手段は、下りカプセル化データフレームを複製した場合、前記下りデータフレームの宛先アドレスおよび前記基地局アドレス保持手段が保持している情報に基づいて、複製した下りカプセル化データフレームに設定する宛先アドレスを決定することを特徴とする請求項１２に記載の通信装置。
【請求項１４】
さらに、
経路学習を行うためのＡＲＰ（Address  Resolution  Protocol）パケットを受信した場合、前記基地局アドレス保持手段が保持している情報に基づいて、当該ＡＲＰパケットに対する応答パケットを自身に接続している無線基地局に代わって生成するＡＲＰ応答パケット生成手段、
を備えることを特徴とする請求項１３に記載の通信装置。
【請求項１５】
複数の無線基地局と接続し、当該無線基地局から受信した上りカプセル化データフレームおよび接続しているネットワークから受信した下りデータフレームをその宛先へ送信する通信装置であって、
前記ネットワークから受信した下りデータフレームをカプセル化して生成した下りカプセル化データフレームを複製し、当該複製処理を実行して得られた各下りカプセル化データフレームの宛先アドレスとして、予め取得しておいた通信相手先装置へ割り当てられたＭＡＣアドレスを設定し、さらに、当該各下りカプセル化データフレームがそれぞれ異なる無線基地局経由で送信されるように、予め取得しておいた各無線基地局のＶＬＡＮ識別子を各下りカプセル化データフレームに設定して送信する下りデータフレーム複製送信手段と、
同一内容の上りカプセル化データフレームをそれぞれ異なる無線基地局経由で複数受信した場合、当該複数受信した上りカプセル化データフレームのいずれかを選択し、当該選択した上りカプセル化データフレームをデカプセル化して生成した上りデータフレームをその宛先へ送信する上りデータフレーム選択送信手段と、
を備えることを特徴とする通信装置。
【請求項１６】
複数の無線端末局と接続し、当該無線端末局から受信した下りカプセル化データフレームおよび接続している端末装置から受信した上りデータフレームをその宛先へ送信する通信装置であって、
前記端末装置から受信した上りデータフレームをカプセル化して生成した上りカプセル化データフレームを複製し、当該複製処理を実行して得られた各上りカプセル化データフレームの宛先アドレスとして、予め取得しておいた通信相手先装置へ割り当てられたＭＡＣアドレスを設定し、さらに、当該各上りカプセル化データフレームがそれぞれ異なる無線端末局経由で送信されるように、予め取得しておいた各無線端末局のＶＬＡＮ識別子を各上りカプセル化データフレームに設定して送信する上りデータフレーム複製送信手段と、
同一内容の下りカプセル化データフレームをそれぞれ異なる無線端末局経由で複数受信した場合、当該複数受信した下りカプセル化データフレームのいずれかを選択し、当該選択した下りカプセル化データフレームをデカプセル化して生成した下りデータフレームをその宛先へ送信する下りデータフレーム選択送信手段と、
を備えることを特徴とする通信装置。
【請求項１７】
無線接続された無線端末局から受信した上り無線データフレームに含まれる送信元端末装置のアドレス情報および当該無線端末局のアドレス情報を関連付けて保持しておく無線端末局アドレス保持手段と、
前記ネットワークダイバーシチ装置から受信した下りカプセル化データフレームに基づいて生成した下り無線データフレームを、当該下りデータフレームに含まれる宛先端末装置のアドレス情報および前記無線端末局アドレス保持手段が保持している情報に基づいて決定した無線端末局宛に送信する下り無線データフレーム送信手段と、
を備えることを特徴とする無線基地局。
【請求項１８】
接続するネットワークダイバーシチ装置を探査するためのＮＤ装置探索要求フレームを自身の起動時にブロードキャスト送信し、また、当該ＮＤ装置探索要求フレームに対する応答フレームを送信したネットワークダイバーシチ装置のアドレス情報を保持しておくネットワークダイバーシチ装置探索手段と、
無線端末局から受信した上り無線データフレームに含まれる送信元端末装置のアドレス情報および当該無線端末局のアドレス情報を関連付けて保持しておく無線端末局アドレス保持手段と、
前記上り無線データフレームに基づいて生成した上りカプセル化データフレームの宛先アドレスに前記ネットワークダイバーシチ装置探索手段が保持しているアドレス情報を設定し、当該上りカプセル化データフレームを送信する上りカプセル化データフレーム送信手段と、
自局に接続されたネットワークダイバーシチ装置から受信した下りカプセル化データフレームに基づいて生成した下り無線データフレームを、当該下り無線データフレームに含まれる宛先端末装置のアドレス情報および前記無線端末局アドレス保持手段が保持している情報に基づいて決定した送信先無線端末局宛に送信する下り無線データフレーム送信手段と、
を備えることを特徴とする無線基地局。
【請求項１９】
接続するネットワークダイバーシチ装置を探査するためのＮＤ装置探索要求フレームを自身の起動時にブロードキャスト送信し、また、当該ＮＤ装置探索要求フレームに対する応答フレームを送信したネットワークダイバーシチ装置であって、自身と同じ移動体上に配備されたネットワークダイバーシチ装置のアドレス情報を保持しておくネットワークダイバーシチ装置探索手段と、
無線基地局から受信した下り無線データフレームに基づいて生成した下りカプセル化データフレームの宛先アドレスに前記ネットワークダイバーシチ装置探索手段が保持しているアドレス情報を設定し、当該下りカプセル化データフレームを送信する下りカプセル化データフレーム送信手段と、
を備えることを特徴とする無線端末局。
【発明の詳細な説明】
【技術分野】
【０００１】
本発明は、移動通信網における無線通信技術に関するものであり、特に、シームレスなハンドオーバを実現するネットワークダイバーシチ通信に関するものである。
【背景技術】
【０００２】
無線通信システムにおいて端末装置のシームレスな通信（ハンドオーバ）を実現する従来の技術として、たとえば、下記特許文献１および２に記載された技術が存在する。下記特許文献１に記載の技術では、端末装置の登録情報を隣接するルータ間で交換し、交換した情報を利用することにより端末装置のシームレスな移動を実現している。また、下記特許文献２に記載の技術では、ＩＰアドレス等の動的に割り当てが可能なアドレスを用いてデータのカプセル化およびカプセル解除を行い、端末装置のシームレスな移動を実現している。【０００３】
【特許文献１】特開２００４−５３３７９０号公報
【特許文献２】特開２００３−２４４２０７号公報
【発明の開示】
【発明が解決しようとする課題】
【０００４】
しかしながら、上記従来のシームレスな通信を実現するための技術は、単一の通信経路から別の単一の通信経路へのシームレスな移動の手順についての言及であり、またＩＰ等のネットワーク層のカプセル化によりアクセスルータがシームレスな移動を司る手順についての言及であった。そのため、複数の通信経路を用いた端末装置のシームレスな移動や、ネットワーク層の装置を要さないデータリンク層の広域Ｅｔｈｅｒｎｅｔ（登録商標）網等におけるシームレスな移動、に関して解決が図れないという問題点があった。【０００５】
本発明は、上記に鑑みてなされたものであって、複数の通信経路を用いた通信のシームレス化や、データリンク層の既存ネットワークにおける端末装置のシームレスな移動、を実現する通信システム、通信装置、無線基地局および無線端末局を得ることを目的とする。
【課題を解決するための手段】
【０００６】
上述した課題を解決し、目的を達成するために、本発明にかかる通信システムは、複数の無線基地局と、当該複数の無線基地局に接続された第１のネットワークダイバーシチ装置と、当該複数の無線基地局のいずれか一つと無線接続しかつ単一の端末装置と有線接続された複数の無線端末局および当該複数の無線端末局に接続された第２のネットワークダイバーシチ装置を含む移動体と、を含んだ通信システムであって、前記第１のネットワークダイバーシチ装置が、前記端末装置宛の下りデータフレームを複製し、当該複製処理により得られた各下りデータフレームをそれぞれ異なる無線基地局経由で当該端末装置宛に送信する下りデータフレーム複製送信手段と、同一内容の上りデータフレームをそれぞれ異なる無線基地局経由で複数受信した場合に、当該各上りデータフレームの中から選択したいずれか一つの上りデータフレームをその宛先へ送信する上りデータフレーム選択送信手段と、を備え、前記第２のネットワークダイバーシチ装置が、前記端末装置から受信した上りデータフレームを複製し、当該複製処理により得られた各上りデータフレームをそれぞれ異なる無線端末局経由でその宛先へ送信する上りデータフレーム複製送信手段と、同一内容の下りデータフレームをそれぞれ異なる無線端末局経由で複数受信した場合に、当該各下りデータフレームの中から選択したいずれか一つの下りデータフレームを前記端末装置へ送信する下りデータフレーム選択送信手段と、を備えることを特徴とする。
【発明の効果】
【０００７】
本発明にかかる通信システムは、上りデータフレームの伝送動作では、移動体側のＮＤ装置（ネットワークダイバーシチ装置）でデータフレームを複製し、一方、下りデータフレームの伝送動作では、固定網側のＮＤ装置でデータフレーム複製し、複数の無線通信経路を介して、同一データフレーム（同一データを含んだデータフレーム）を対向のＮＤ装置へ送信し、同一データフレームを複数受信したＮＤ装置は、そのうち１つを選択して宛先へ届けるようにしたので、少なくとも一つの無線通信経路が確保されていればデータ瞬断を回避することができ、ユーザに違和感を与えることのない通信システムを実現することができる、という効果を奏する。
【図面の簡単な説明】
【０００８】
【図１】図１は、本発明にかかる通信システムの実施の形態１の構成例を示す図である。
【図２−１】図２−１は、実施の形態１のＮＤ装置の構成例を示す図である。
【図２−２】図２−２は、実施の形態１のＮＤ装置の構成例を示す図である。
【図３】図３は、実施の形態１のＡＰの構成例を示す図である。
【図４】図４は、実施の形態１のＳＴＡの構成例を示す図である。
【図５】図５は、実施の形態１の上りデータフレームの構成例を示す図である。
【図６】図６は、実施の形態１の下りデータフレームの構成例を示す図である。
【図７】図７は、端末装置およびサーバ装置の間のデータフレーム伝送動作のシーケンス例を示す図である。
【図８−１】図８−１は、実施の形態２のＮＤ装置の構成例を示す図である。
【図８−２】図８−２は、実施の形態２のＮＤ装置の構成例を示す図である。
【図９】図９は、実施の形態２のＡＰの構成例を示す図である。
【図１０】図１０は、実施の形態２のＳＴＡの構成例を示す図である。
【図１１】図１１は、ＮＤ装置探索において使用するフレームの構成例を示す図である。
【図１２−１】図１２−１は、実施の形態３のＮＤ装置の構成例を示す図である。
【図１２−２】図１２−２は、実施の形態３のＮＤ装置の構成例を示す図である。
【図１３】図１３は、実施の形態３のＡＰの構成例を示す図である。
【図１４】図１４は、実施の形態３のＳＴＡの構成例を示す図である。
【図１５】図１５は、実施の形態３のＮＤ装置が備える自ＭＡＣアドレス保持部の内部テーブル構成例を示す図である。
【図１６】図１６は、実施の形態３の通信システム内において近接ＮＤ装置の探索シーケンス例および遠隔ＮＤ装置情報の通知シーケンス例を示す図である。
【図１７】図１７は、実施の形態３のＮＤ装置が備える自ＭＡＣアドレス保持部が自ＭＡＣアドレスの値を決定する処理の一例を示すフローチャートである。
【図１８】図１８は、実施の形態３の上りデータフレームの構成例を示す図である。
【図１９】図１９は、端末装置およびサーバ装置の間のデータフレーム伝送動作のシーケンス例を示す図である。
【図２０】図２０は、実施の形態４のＮＤ装置の構成例を示す図である。
【図２１】図２１は、実施の形態５のＮＤ装置の構成例を示す図である。
【図２２】図２２は、実施の形態５の下りデータフレームの構成例を示す図である。
【図２３】図２３は、実施の形態５の上りデータフレームの構成例を示す図である。
【図２４】図２４は、実施の形態６の通信システムの構成例を示す図である。
【図２５】図２５は、実施の形態６のＮＤ装置の構成例を示す図である。
【図２６】図２６は、実施の形態６のＡＰの構成例を示す図である。
【図２７】図２７は、実施の形態６のＳＴＡの構成例を示す図である。
【図２８】図２８は、実施の形態６の上りデータフレームの構成例を示す図である。
【図２９】図２９は、実施の形態７の移動体内部の構成例を示す図である。
【図３０】図３０は、実施の形態７の移動体内部の構成例を示す図である。
【符号の説明】
【０００９】
１、２、１ａ、２ａ、１ｂ、２ｂ、１ｃ、１ｄ、２ｄ、１ｅ、２ｅ、  ネットワークダイバーシチ装置（ＮＤ装置）
３−１〜３−３、３ａ−１〜３ａ−３、３ｅ−１〜３ｅ−３  無線基地局（ＡＰ：Access  Point）
４−１、４−２、４ａ−１、４ａ−２、４ｅ−１、４ｅ−２  無線端末局（ＳＴＡ：Station）
５、６、５ｅ、６ｅ  レイヤ２スイッチ（Ｌ２スイッチ）
７  サーバ装置
８  端末装置
１０１、２０１  ＬＡＮ受信部
１０２、２０２  ＬＡＮ送信部
１０３、１０３ａ、１０３ｂ、１０３ｃ、２０３、２０３ａ、２０３ｂ  フィルタ／分別部
１０４、１０４ｄ、１０４ｅ、２０４  カプセル化部
１０５、１０５ｂ、１０５ｅ、２０５、２０５ｂ  複製部
１０６、２０６  選択合成部
１０７、２０７  デカプセル化部
１０８、１０８ｂ、２０８、２０８ｂ  自ＭＡＣアドレス保持部
１０９、２０９  送受信機リスト保持部
１１０  送受信機−端末学習部
１１１、２１１  ＮＤ装置探索応答部
１１２、２１２  対向ＮＤ装置情報保持部
１１３  ＮＤ装置−端末学習部
１１４  代理ＡＲＰ応答生成部
１８１  自ＭＡＣアドレス格納領域
１８２  探索要求元ＡＰ格納領域
１８３  最新探索時刻格納領域
３０１  無線受信部
３０２  無線送信部
３０３  無線接続制御部
３０４  フレーム生成部
３０５  カプセル化部
３０６  ＮＤ装置情報保持部
３０７  ＬＡＮ送信部
３０８  ＬＡＮ受信部
３０９、３１３  フィルタ部
３１０  デカプセル化部
３１１  無線フレーム生成部
３１２、３１２ｂ  ＮＤ装置探索部
３１４  ＮＤ装置情報管理部
３１５  ＮＤ装置情報通知部
３１６  経路学習パケット生成部
４０１  ＬＡＮ受信部
４０２  ＬＡＮ送信部
４０３、４１３  フィルタ部
４０４  デカプセル化部
４０５  無線フレーム生成部
４０６  無線送信部
４０７  無線受信部
４０８  無線接続制御部
４０９  フレーム生成部
４１０  カプセル化部
４１１  ＮＤ装置情報保持部
４１２、４１２ｂ  ＮＤ装置探索部
４１４  遠隔ＮＤ装置情報管理部
４１５  遠隔ＮＤ装置情報通知部
４１６  経路学習パケット生成部
【発明を実施するための最良の形態】
【００１０】
以下に、本発明にかかる通信システム、通信装置、無線基地局および無線端末局の実施の形態を図面に基づいて詳細に説明する。なお、この実施の形態によりこの発明が限定されるものではない。【００１１】
実施の形態１．
図１は、本発明にかかる通信システムの実施の形態１の構成例を示す図である。図１において、１は、固定網側に配備され、複数の無線基地局に接続されたネットワークダイバーシチ装置（ＮＤ装置）、２は、移動体に配備され、複数の無線端末局に接続されたネットワークダイバーシチ装置（ＮＤ装置）である。３−１〜３−３は、無線基地局（ＡＰ：Access  Point）、４−１および４−２は、移動体に配備された無線端末局（ＳＴＡ：Station）であり、ＳＴＡはいずれかのＡＰと無線通信を行う。また、５および６は、固定網側のレイヤ２スイッチ（Ｌ２スイッチ）および移動体側のＬ２スイッチである。また、７は有線ネットワークなどを介してＮＤ装置１と接続されたサーバ装置、８は移動体に配備され、移動体上のローカルネットワークなどを介してＮＤ装置２と接続された端末装置である。本実施の形態においては、サーバ装置７と端末装置８がデータの送受信を行う場合の動作例について説明を行う。【００１２】
なお、本実施の形態の通信システムにおいては、無線基地局側のＮＤ装置１と、移動体側のＮＤ装置２との間で複数の経路を確立してネットワークダイバーシチ機能を実現する。また、図１に示した例では、ＡＰ３−１とＳＴＡ４−１が無線接続され、ＡＰ３−２とＳＴＡ４−２が無線接続された状態を示している。【００１３】
ＡＰ３−１〜３−３は、移動体の移動範囲をカバーするように配置され、Ｌ２スイッチ５を介してＮＤ装置１に接続される。移動体は、無線端末局を２セット（ＳＴＡ４−１および４−２）備え、これらのＳＴＡは、Ｌ２スイッチ６を介してＮＤ装置２に接続される。【００１４】
図２−１および図２−２は、ＮＤ装置１および２の構成例を示す図である。図２−１に示したように、ＮＤ装置１は、ＬＡＮ受信部１０１と、ＬＡＮ送信部１０２と、フィルタ／分別部１０３と、カプセル化部１０４と、複製部１０５と、選択合成部１０６と、デカプセル化部１０７と、自ＭＡＣアドレス保持部１０８と、送受信機リスト保持部１０９と、送受信機−端末学習部１１０と、を備えている。また、図２−２に示したように、ＮＤ装置２は、ＬＡＮ受信部２０１と、ＬＡＮ送信部２０２と、フィルタ／分別部２０３と、カプセル化部２０４と、複製部２０５と、選択合成部２０６と、デカプセル化部２０７と、自ＭＡＣアドレス保持部２０８と、送受信機リスト保持部２０９と、を備えている。なお、ＮＤ装置２は、上記ＮＤ装置１のサブセット構成となっている。そのため、ＮＤ装置２の各構成要素は、ＮＤ装置１を構成している同一名称の構成要素と同様の機能を有する。【００１５】
なお、複製部１０５およびＬＡＮ送信部１０２が請求項１、２および１２に記載の下りデータフレーム複製送信手段を構成する。選択合成部１０６、デカプセル化部１０７およびＬＡＮ送信部１０２が請求項１、２および１２に記載の上りデータフレーム選択送信手段を構成する。送受信機−端末学習部１１０が請求項５および１３に記載の基地局アドレス保持手段を構成する。複製部２０５およびＬＡＮ送信部２０２が請求項１および２に記載の上りデータフレーム複製送信手段を構成する。選択合成部２０６、デカプセル化部２０７およびＬＡＮ送信部２０２が請求項１および２に記載の下りデータフレーム選択送信手段を構成する。【００１６】
図３は、ＡＰ３−１〜３−３の構成例を示す図であり、これら各ＡＰは同じ構成をとる。図３に示したように、各ＡＰは、無線受信部３０１と、無線送信部３０２と、無線接続制御部３０３と、フレーム生成部３０４と、カプセル化部３０５と、ＮＤ装置情報保持部３０６と、ＬＡＮ送信部３０７と、ＬＡＮ受信部３０８と、フィルタ部３０９と、デカプセル化部３１０と、無線フレーム生成部３１１と、を備えている。【００１７】
なお、無線接続制御部３０３が請求項３および１６に記載の無線端末局アドレス保持手段を構成する。カプセル化部３０５およびＬＡＮ送信部３０７が請求項３に記載の上りカプセル化データフレーム送信手段を構成する。無線フレーム生成部３１１および無線送信部３０２が請求項３および１７に記載のくだり無線データフレーム送信手段を構成する。【００１８】
図４は、ＳＴＡ４−１およびＳＴＡ４−２の構成例を示す図であり、これら各ＳＴＡは同じ構成をとる。図４に示したように、各ＳＴＡは、ＬＡＮ受信部４０１と、ＬＡＮ送信部４０２と、フィルタ部４０３と、デカプセル化部４０４と、無線フレーム生成部４０５と、無線送信部４０６と、無線受信部４０７と、無線接続制御部４０８と、フレーム生成部４０９と、カプセル化部４１０と、ＮＤ装置情報保持部４１１と、を備えている。【００１９】
図５は、上記通信システム内を端末装置８からサーバ装置７方向へ伝送される上りデータフレームの構成例を示す図である。図５において、Ｆ１１は端末装置８からＮＤ装置２へ伝送されるデータフレーム、Ｆ１２−１はＮＤ装置２からＳＴＡ４−１へ伝送されるデータフレーム、Ｆ１２−２はＮＤ装置２からＳＴＡ４−２へ伝送されるデータフレーム、Ｆ１３−１はＳＴＡ４−１からＡＰ３−１へ伝送されるデータフレーム、Ｆ１３−２はＳＴＡ４−２からＡＰ３−２へ伝送されるデータフレーム、Ｆ１４−１はＡＰ３−１からＮＤ装置１へ伝送されるデータフレーム、Ｆ１４−２はＡＰ３−２からＮＤ装置１へ伝送されるデータフレーム、Ｆ１５はＮＤ装置１からサーバ装置７へ伝送されるデータフレームである。【００２０】
なお、図５において、ＤＳＴは宛先アドレス（Destination  Address）、ＳＲＣは送信元アドレス（Source  Address）、ＲＡは受信者アドレス（Receiver  Address）、ＴＡは送信者アドレス（Transmitter  Address）、ＤＡは宛先アドレス（Destination  Address）、ＳＡは送信元アドレス（Source  Address）、Ｔはデータタイプ識別子、Ｃはカプセル化データ識別子、を示している。また、これらは、後述するデータフレーム構成においても同様である。【００２１】
また、図６は、上記通信システム内をサーバ装置７から端末装置８方向へ伝送される下りデータフレームの構成例を示す図である。図６において、Ｆ２１はサーバ装置７からＮＤ装置１へ伝送されるデータフレーム、Ｆ２２−１はＮＤ装置１からＡＰ３−１へ伝送されるデータフレーム、Ｆ２２−２はＮＤ装置１からＡＰ３−２へ伝送されるデータフレーム、Ｆ２３−１はＡＰ３−１からＳＴＡ４−１へ伝送されるデータフレーム、Ｆ２３−２はＡＰ３−２からＳＴＡ４−２へ伝送されるデータフレーム、Ｆ２４−１はＳＴＡ４−１からＮＤ装置２へ伝送されるデータフレーム、Ｆ２４−２はＳＴＡ４−２からＮＤ装置２へ伝送されるデータフレーム、Ｆ２５はＮＤ装置２から端末装置８へ伝送されるデータフレームである。【００２２】
図７は、上記通信システム内を端末装置８からサーバ装置７方向へ上りデータフレームが伝送される場合のシーケンス例、およびサーバ装置７から端末装置８方向へ下りデータフレームが伝送される場合のシーケンス例、を示す図である。【００２３】
つづいて、端末装置８からサーバ装置７へ流れる上り方向のトラヒックの伝送動作および逆の方向に流れる下り方向のトラヒックの伝送動作について、図１〜図７を参照しながら説明する。【００２４】
まず、上り方向のトラヒックの伝送動作について説明する。なお、ＮＤ装置１は、ＡＰ３−１〜３−３の存在を認識しており、送受信機リスト保持部１０９（図２−１参照）に各ＡＰの情報（ＡＰのアドレス情報など）を保持している。一方、ＮＤ装置２は、移動体内のＳＴＡ４−１および４−２の存在を認識しており、送受信機リスト保持部２０９（図２−２参照）に各ＳＴＡの情報（ＳＴＡのアドレス情報など）を保持している。また、ＡＰ３−１〜３−３は、ＮＤ装置１の存在を認識しており、ＮＤ装置情報保持部３０６にＮＤ装置情報（ＮＤ装置のアドレス情報など）を保持している。【００２５】
図２−２に示した構成のＮＤ装置２において、フィルタ／分別部２０３は、ＬＡＮ受信部２０１が受信したデータフレームのうち、端末装置８から受信したデータフレームをカプセル化部２０４に振り分ける。なお、フィルタ／分別部２０３は、カプセル化されていないデータフレームを受信した場合、即ちカプセル化データ識別子が付加されていないデータフレームＦ１１（図５参照）を受信した場合に本振り分け動作を行う。また、カプセル化されたデータフレームを受信した場合には、その受信データフレームを選択合成部２０６へ渡す。【００２６】
カプセル化部２０４は、フィルタ／分別部２０３からデータフレーム（カプセル化されていないデータフレーム）を受け取った場合、そのデータフレームのカプセル化を行う。そして、自ＭＡＣアドレス保持部２０８が保持している情報である自装置（ＮＤ装置２）のＭＡＣアドレスを送信元アドレスに設定する（図７のステップＳ１１に相当）。【００２７】
複製部２０５は、カプセル化部２０４においてカプセル化されたデータフレームであるカプセル化データフレームを複製し、送受信機リスト保持部２０９が保持している情報（ＳＴＡのＭＡＣアドレス）を用いて、カプセル化データフレームの宛先をそれぞれＳＴＡ４−１およびＳＴＡ４−２に設定する（図７のステップＳ１２に相当）。これにより図５に示したカプセル化データフレームであるデータフレームＦ１２−１およびＦ１２−２を生成する。そして、生成されたデータフレームＦ１２−１およびＦ１２−２はＬＡＮ送信部２０２へ渡され、ＬＡＮ送信部２０２は、受け取ったデータフレームＦ１２−１およびＦ１２−２を送信する。【００２８】
図４に示した構成のＳＴＡ４−１およびＳＴＡ４−２において、ＬＡＮ受信部４０１はデータフレームを受信し、フィルタ部４０３は、ＬＡＮ受信部４０１が受信したデータフレームの中からカプセル化データフレームのみを取り出してデカプセル化部４０４へ渡す。デカプセル化部４０４は、受け取ったカプセル化データフレームからカプセル化ヘッダ部分（上記ＮＤ装置２のカプセル化部２０４が付与したヘッダ部分）を取り除き、無線フレーム生成部４０５へ渡す。無線フレーム生成部４０５は、無線接続制御部４０８から接続ＡＰ情報を取得し、この接続ＡＰ情報を用いて無線データフレーム（たとえば、IEEE802.11標準のフレーム）を生成する。具体的には、宛先を接続中のＡＰとした無線データフレームを生成する（図７のステップＳ１３に相当）。なお、図５に示したデータフレームＦ１３−１がＳＴＡ４−１により生成された無線データフレーム、データフレームＦ１３−２がＳＴＡ４−２により生成された無線データフレームである。無線送信部４０６は、以上の動作で生成された無線データフレームを接続中のＡＰへ送信する。【００２９】
図３に示した構成のＡＰ３−１〜ＡＰ３−３において、無線受信部３０１は接続中のＳＴＡから無線データフレームを受信した場合、その無線データフレームをフレーム生成部３０４へ渡す。【００３０】
このとき、送信者であるＳＴＡのアドレス情報およびトラヒック源である端末装置８のアドレス情報は、無線受信部３０１から無線接続制御部３０３へ渡される。無線接続制御部３０３は、受け取ったＳＴＡのアドレス情報および端末装置８のアドレス情報を関連付けて保持しておき、逆方向のトラヒック（下りトラヒック）の伝送動作に備える。【００３１】
フレーム生成部３０４は、受け取った無線データフレームのヘッダ部分を取り除き、カプセル化部３０５へ渡す。カプセル化部３０５は、フレーム生成部３０４から受け取ったデータフレームのカプセル化を行い、また、ＮＤ装置情報保持部３０６が保持している情報（ＮＤ装置１のＭＡＣアドレス情報）を取得し、カプセル化データフレームの宛先アドレスに設定する（図７のステップＳ１４に相当）。なお、図５に示したデータフレームＦ１４−１がＡＰ３−１のカプセル化部３０５により生成されたカプセル化データフレーム、データフレームＦ１４−２がＡＰ３−２のカプセル化部３０５により生成されたカプセル化データフレームである。ＬＡＮ送信部３０７は、以上の動作で生成されたカプセル化データフレームをＮＤ装置１へ送信する。【００３２】
図２−１に示した構成のＮＤ装置１において、フィルタ／分別部１０３は、ＬＡＮ受信部１０１が受信したデータフレームのうち、ＡＰ３−１またはＡＰ３−２から受け取ったカプセル化データフレームを選択合成部１０６に振り分ける。なお、フィルタ／分別部１０３は、カプセル化されたデータフレームを受信した場合、即ちカプセル化データ識別子が付加されているデータフレームＦ１４−１またはＦ１４−２（図５参照）を受信した場合に本振り分け動作を行う。また、カプセル化されていないデータフレームを受信した場合には、その受信データフレームをカプセル化部１０４へ渡す。【００３３】
このとき、送信者であるＡＰのアドレス情報およびトラヒック源である端末装置８のアドレス情報は、選択合成部１０６から送受信機−端末学習部１１０へ渡される。送受信機−端末学習部１１０は、受け取ったＡＰのアドレス情報および端末装置８のアドレス情報を関連付けて保持しておき、逆方向のトラヒック（下りトラヒック）の伝送動作に備える。すなわち、端末装置８に接続されたＳＴＡと通信を行うＡＰは時間の経過とともに（端末装置８を配備した移動体の移動に伴い）変化するので、この時点でどのＡＰを介して端末装置８との間でデータフレームがやりとりされるかを記憶しておく。【００３４】
選択合成部１０６は、ＡＰ３−１およびＡＰ３−２から同一データを含んだカプセル化データフレーム（以下、単に同一フレームと呼ぶ）を受信したした場合、同一フレームのうち１つを選択してデカプセル化部１０７へ渡す（図７のステップＳ１５に相当）。デカプセル化部１０７は、受け取ったカプセル化データフレームからカプセル化ヘッダ部分（上記ＡＰ３−１またはＡＰ３−２のカプセル化部３０５が付与したヘッダ部分）を取り除き、ＬＡＮ送信部１０２へ渡す（図７のステップＳ１６に相当）。なお、図５に示したデータフレームＦ１５がデカプセル化部１０７からＬＡＮ送信部１０２へ渡されるデータフレームである。ＬＡＮ送信部１０２は、以上の動作で生成されたデータフレームＦ１５をサーバ装置７へ送信する。【００３５】
次に、下り方向のトラヒックの伝送動作について説明する。なお、ＳＴＡ４−１および４−２は、ＮＤ装置２の存在を認識しており、ＮＤ装置情報保持部４１１にＮＤ装置情報を保持している。【００３６】
図２−１に示した構成のＮＤ装置１において、フィルタ／分別部１０３は、ＬＡＮ受信部１０１が受信したデータフレームのうち、サーバ装置７から受信したデータフレームをカプセル化部１０４に振り分ける。なお、フィルタ／分別部１０３は、カプセル化されていないデータフレームを受信した場合、即ちカプセル化データ識別子が付加されていないデータフレームＦ２１（図６参照）を受信した場合に本振り分け動作を行う。また、カプセル化されたデータフレームを受信した場合には、その受信データフレームを選択合成部１０６へ渡す。【００３７】
カプセル化部１０４は、フィルタ／分別部１０３からデータフレーム（カプセル化されていないデータフレーム）を受け取った場合、そのデータフレームのカプセル化を行う。そして、自ＭＡＣアドレス保持部１０８が保持している情報である自装置（ＮＤ装置１）のＭＡＣアドレスを送信元アドレスに設定する（図７のステップＳ２１に相当）。【００３８】
複製部１０５は、カプセル化部１０４においてカプセル化されたデータフレームであるカプセル化データフレームを複製し、それらの宛先をそれぞれＡＰ３−１およびＡＰ３−２に設定する（図７のステップＳ２２に相当）。このとき、複製部１０５は、宛先に設定するＡＰ３−１のアドレス情報およびＡＰ３−２のアドレス情報を、サーバ装置７から送信されたデータフレーム（図６に示した下りデータフレームＦ２１）の宛先（ＤＳＴ）である端末装置８のアドレス情報をキーにして、送受信機−端末学習部１１０から取得する。これにより図６に示したカプセル化データフレームであるデータフレームＦ２２−１およびＦ２２−２を生成する。そして、生成されたデータフレームＦ１２−１およびＦ１２−２はＬＡＮ送信部１０２へ渡され、ＬＡＮ送信部１０２は、受け取ったデータフレームＦ２２−１およびＦ２２−２を送信する。【００３９】
図３に示した構成のＡＰ３−１〜ＡＰ３−３において、ＬＡＮ受信部３０８はデータフレームを受信し、フィルタ部３０９は、ＬＡＮ受信部３０８が受信したデータフレームの中からカプセル化データフレームのみを取り出してデカプセル化部３１０へ渡す。デカプセル化部３１０は、受け取ったカプセル化データフレームからカプセル化ヘッダ部分を取り除き、無線フレーム生成部３１１へ渡す。無線フレーム生成部３１１は、端末装置８のアドレス情報をキーにして、無線接続制御部３０３からＳＴＡ４−１のアドレス情報およびＳＴＡ４−２のアドレス情報を取得し、取得した情報を用いて無線データフレームを生成する（図７のステップＳ２３に相当）。具体的には、宛先を接続中のＳＴＡとした無線データフレームを生成する。なお、図６に示したデータフレームＦ２３−１がＡＰ３−１により生成された無線データフレーム、データフレームＦ２３−２がＡＰ３−２により生成された無線データフレームである。無線送信部３０２は、以上の動作で生成された無線データフレームを接続中のＳＴＡへ送信する。【００４０】
図４に示した構成のＳＴＡ４−１およびＳＴＡ４−２において、無線受信部４０７は接続中のＡＰから無線データフレームを受信した場合、その無線データフレームをフレーム生成部４０９へ渡す。【００４１】
フレーム生成部４０９は、受け取った無線データフレームのヘッダ部分を取り除き、カプセル化部４１０へ渡す。カプセル化部４１０は、フレーム生成部４０９から受け取ったデータフレームのカプセル化を行い、また、ＮＤ装置情報保持部４１１が保持している情報（ＮＤ装置２のＭＡＣアドレス情報）を取得し、カプセル化データフレームの宛先アドレスに設定する（図７のステップＳ２４に相当）。なお、図６に示したデータフレームＦ２４−１がＳＴＡ４−１のカプセル化部４１０により生成されたカプセル化データフレーム、データフレームＦ２４−２がＳＴＡ４−２のカプセル化部４１０により生成されたカプセル化データフレームである。ＬＡＮ送信部４０２は、以上の動作で生成されたカプセル化データフレームをＮＤ装置２へ送信する。【００４２】
図２−２に示した構成のＮＤ装置２において、フィルタ／分別部２０３は、ＬＡＮ受信部２０１が受信したデータフレームのうち、ＳＴＡ４−１またはＳＴＡ４−２から受け取ったカプセル化データフレームを選択合成部２０６に振り分ける。なお、フィルタ／分別部２０３は、カプセル化されたデータフレームを受信した場合、即ちカプセル化データ識別子が付加されているデータフレームＦ２４−１またはＦ２４−２（図６参照）を受信した場合に本振り分け動作を行う。また、カプセル化されていないデータフレームを受信した場合には、その受信データフレームをカプセル化部２０４へ渡す。【００４３】
選択合成部２０６は、ＳＴＡ４−１およびＳＴＡ４−２から同一フレームを受信したした場合、複数受信した同一フレームのうち１つを選択してデカプセル化部２０７へ渡す（図７のステップＳ２５に相当）。デカプセル化部２０７は、受け取ったカプセル化データフレームからカプセル化ヘッダ部分を取り除き、ＬＡＮ送信部２０２へ渡す（図７のステップＳ２６に相当）。なお、図６に示したデータフレームＦ２５がデカプセル化部２０７からＬＡＮ送信部２０２へ渡されるデータフレームである。ＬＡＮ送信部２０２は、以上の動作で生成されたデータフレームＦ２５を端末装置８へ送信する。【００４４】
なお、本実施の形態においては、２組のＡＰおよびＳＴＡが同時に無線接続を行い、２つの同一フレームを並行して送信することとしたが、これに限らず、３組以上のＡＰおよびＳＴＡが同時に無線接続を行い、無線接続数に応じた数の同一フレームを並行して送信するようにしてもよい。【００４５】
このように、本実施の形態においては、上りデータフレームの伝送動作では、移動体側のＮＤ装置でデータフレームを複製し、一方、下りデータフレームの伝送動作では、固定網側のＮＤ装置でデータフレーム複製し、複数の無線通信経路を介して、同一データフレーム（同一データを含んだデータフレーム）を対向のＮＤ装置へ送信し、同一データフレームを複数受信したＮＤ装置は、そのうち１つを選択して宛先へ届けるようにした。これにより、少なくとも一つの無線通信経路が確保されていればデータ瞬断を回避することができ、ユーザに違和感を与えることのない通信システムを実現することができる。【００４６】
また、ＡＰやＳＴＡがＬＡＮ受信部で受信したフレームのうちカプセル化データフレームのみを透過することにより、ＮＤ装置とＡＰの間や、ＮＤ装置とＳＴＡの間の通信には必ずカプセル化フレームを用いて、Ｌ２スイッチの標準的なＬ２スイッチング動作のみでシステム内有線通信区間を実現できるようにしているので、既設のネットワークを用い、ＮＤ装置やＡＰおよびＳＴＡを接続することで本発明にかかる通信システムを実現することができる。【００４７】
また、トラヒックの発生源またはトラヒック終端を行う装置においては標準的なＥｔｈｅｒｎｅｔ（登録商標）フレームの送受により通信が実現できるようにしているので、本発明にかかる通信システムに対して市販の機器を接続した場合であってもシームレスな通信を実現することができる。【００４８】
実施の形態２．
つづいて、実施の形態２の通信システムについて説明する。実施形態１では、ＡＰおよびＳＴＡは近接のＮＤ装置の存在を認識しており、カプセル化の際に一意に宛先を指定するものとして説明を行ったが、次に実施の形態１と同様のシステム構成（図１参照）で、ＡＰおよびＳＴＡが近接のＮＤ装置を探査する実施の形態について説明する。【００４９】
図８−１および図８−２は、実施の形態２の通信システムにおいて無線基地局側に配備するＮＤ装置１ａの構成例および移動体に配備するＮＤ装置２ａの構成例を示す図である。【００５０】
図８−１に示したように、ＮＤ装置１ａは、実施の形態１のＮＤ装置１（図２−１参照）のフィルタ／分別部１０３に代えてフィルタ／分別部１０３ａを備え、さらに、ＮＤ装置探索応答部１１１が追加された構成をとる。また、図８−２に示したように、ＮＤ装置２ａは、実施の形態１のＮＤ装置２（図２−２参照）のフィルタ／分別部２０３に代えてフィルタ／分別部２０３ａを備え、さらに、ＮＤ装置探索応答部２１１が追加された構成をとる。その他の部分については実施の形態１のＮＤ装置１または２と同様であるため、同一の符号を付してその説明は省略する。【００５１】
図９は、実施の形態２の各ＡＰ（ＡＰ３ａ−１〜ＡＰ３ａ−３とする。以下、本実施の形態の各ＡＰをまとめてＡＰ３ａと呼ぶ）の構成例を示す図であり、ＡＰ３ａ−１〜ＡＰ３ａ−３は、実施の形態１のＡＰ３−１〜３−３（図３参照）が備えるＮＤ装置情報保持部３０６に代えてＮＤ装置探索部３１２を備えた構成をとる。その他の部分については実施の形態１のＡＰ３−１〜３−３と同様であるため、同一の符号を付してその説明は省略する。【００５２】
なお、ＮＤ装置探索部３１２が請求項４に記載の第１のネットワークダイバーシチ装置探索手段および請求項１８に記載のネットワークダイバーシチ装置探索手段を構成する。無線接続制御部３０３が請求項４および１８に記載の無線端末局アドレス保持手段を構成する。カプセル化部３０５およびＬＡＮ送信部３０７が請求項４および１８に記載の上りカプセル化データフレーム送信手段を構成する。無線フレーム生成部３１１および無線送信部３０２が請求項４および１８に記載の下りカプセル化データフレーム送信手段を構成する。【００５３】
図１０は、実施の形態２の各ＳＴＡ（ＳＴＡ４ａ−１およびＳＴＡ４ａ−２とする。以下、本実施の形態の各ＳＴＡをまとめてＳＴＡ４ａと呼ぶ）の構成例を示す図であり、ＳＴＡ４ａ−１およびＳＴＡ４ａ−２は、実施の形態１のＳＴＡ４−１および４−２（図４参照）が備えるＮＤ装置情報保持部４１１に代えてＮＤ装置探索部４１２を備えた構成をとる。その他の部分については実施の形態１のＳＴＡ４−１および４−２と同様であるため、同一の符号を付してその説明は省略する。【００５４】
なお、ＮＤ装置探索部４１２が請求項４に記載の第２のネットワークダイバーシチ装置探索手段および請求項１９に記載のネットワークダイバーシチ装置探索手段を構成する。カプセル化部４１０およびＬＡＮ送信部４０２が請求項４および１９に記載の下りカプセル化データフレーム送信手段を構成する。【００５５】
図１１は、ＮＤ装置探索において使用するフレームの構成例を示す図である。図１１に示したＦ３１は、ＡＰ３ａのＮＤ装置探索部３１２が生成し、ＬＡＮ送信部３０７から送信されるＮＤ装置探索要求のブロードキャストフレームである。なお、ＳＴＡ４ａのＮＤ装置探索部４１２が生成するＮＤ装置探索要求のブロードキャストフレームも同様の構成をとり、ＳＲＣ（送信元アドレス）にＳＴＡ４ａ−１または４ａ−２のアドレスが設定される。また、Ｆ３２は、ＮＤ装置１ａのＮＤ装置探索応答部１１１が生成し、ＬＡＮ送信部１０２から送信されるＮＤ装置探索応答のユニキャストフレームである。なお、ＮＤ装置２ａのＮＤ装置探索応答部２１１が生成するＮＤ装置探索応答のユニキャストフレームも同様の構成をとり、ＳＲＣ（送信元アドレス）にＮＤ装置２ａのアドレスが設定される。また、図１１において、‘Ｄ’は、ＮＤ装置探索要求識別子を示している。【００５６】
つづいて、ＡＰ３ａ（ＡＰ３ａ−１〜ＡＰ３ａ−３）およびＳＴＡ４ａ（ＳＴＡ４ａ−１，ＳＴＡ４ａ−２）がＮＤ装置を探索する手順について、図８−１〜図１１を参照しながら説明する。【００５７】
まず、ＡＰ３ａがＮＤ装置を探索する手順を説明する。ＡＰ３ａは、起動したときにＮＤ装置探索部３１２でＮＤ装置探索要求フレームＦ３１を生成し、これをＬＡＮ送信部３０７へ渡す。そして、ＬＡＮ送信部３０７は、受け取った上記フレームをブロードキャスト送信する。【００５８】
図８−１に示した構成のＮＤ装置１ａが上記ＡＰ３ａからブロードキャスト送信されたＮＤ装置探索要求フレームＦ３１を受信した場合、フィルタ／分別部１０３ａは、ＬＡＮ受信部１０１が受信したデータフレームのうち、ＡＰ３ａから受信したＮＤ装置探索要求フレームをＮＤ装置探索応答部１１１に振り分ける。なお、フィルタ／分別部１０３ａは、ＮＤ装置探索要求フレームを受信した場合、即ちＮＤ装置探索要求識別子が付加されているフレームＦ３１（図１１参照）を受信した場合に本振り分け動作を行う。また、ＮＤ装置探索要求フレーム以外を受信した場合には、受信したフレームをカプセル化部１０４または選択合成部１０６へ渡す。【００５９】
ＮＤ装置探索応答部１１１は、受け取ったＮＤ装置探索要求フレームの送信元であるＡＰ３ａの情報を送受信機リスト保持部１０９へ渡し、また、自ＭＡＣアドレス保持部１０８が保持している情報を用いてＮＤ装置探索応答フレームＦ３２（図１１参照）を生成し、生成したＮＤ装置探索応答フレームをＬＡＮ送信部１０２へ渡す。このとき、ＮＤ装置探索応答フレームのＤＳＴ（宛先アドレス）は、対応するＮＤ装置探索応答フレームの送信元ＡＰ３ａのアドレスとする。ＬＡＮ送信部１０２は、受け取ったＮＤ装置探索応答フレームを送信する。送受信機リスト保持部１０９は、ＮＤ装置１ａが動作終了するまでＮＤ装置探索要求の送信元のＡＰ３ａの情報を保持しておき、実施の形態１で示したような下り方向のトラヒック伝送動作において、送受信機−端末学習部１１０へ当該情報を提供する。【００６０】
ＡＰ３ａにおいて、ＬＡＮ受信部３０８はフレームを受信し、フィルタ部３０９ａは、ＬＡＮ受信部３０８が受信したフレームの中からＮＤ装置探索応答フレームを取り出してＮＤ装置探索部３１２へ渡す。ＮＤ装置探索部３１２は、ＡＰ３ａが動作終了するまでＮＤ装置探索応答の送信元のＮＤ装置１ａの情報を保持しておき、実施の形態１で示したような上り方向のトラヒック伝送動作において、実施の形態１のＡＰが備えるＮＤ装置情報保持部３０６と同様に、カプセル化部３０５へ当該情報を提供する。【００６１】
次に、ＳＴＡ４ａがＮＤ装置を探索する手順について説明する。ＳＴＡ４ａが起動した場合、ＳＴＡ４ａのＮＤ装置探索部４１２は、上述したＡＰ３ａのＮＤ装置探索部３１２と同様の動作を行い、ＮＤ装置探索要求フレームＦ３１を生成する。生成されたＮＤ装置探索要求フレームＦ３１は、ＬＡＮ送信部４０２へ渡され、ブロードキャスト送信される。【００６２】
図８−２に示した構成のＮＤ装置２ａは、ＳＴＡ４ａからブロードキャスト送信されたＮＤ装置探索要求フレームＦ３１を受信した場合、上記ＮＤ装置１ａと同様の動作を行い、送受信機リスト保持部２０９がＳＴＡ４ａの情報を保持しておき、実施の形態１で示したような上り方向のトラヒック伝送動作において、複製部２０５へ当該情報を提供する。また、ＮＤ装置探索応答部２１１は、自ＭＡＣアドレス保持部２０８が保持している情報を用いてＮＤ装置探索応答フレームＦ３２を生成する。生成されたＮＤ装置探索応答フレームＦ３２は、ＬＡＮ送信部２０２を介して、対応するＮＤ装置探索応答フレームの送信元ＳＴＡ４ａへ送信される。【００６３】
ＳＴＡ４ａのＮＤ装置探索部４１２は、ＡＰ３ａのＮＤ装置探索部３１２と同様にＮＤ装置２ａの情報を保持しておき、実施の形態１で示したような下り方向のトラヒック伝送動作において、実施の形態１のＳＴＡが備えるＮＤ装置情報保持部４１１と同様に、カプセル化部４１０へ当該情報を提供する。【００６４】
なお、上り方向のトラヒック伝送動作および下り方向のトラヒック伝送動作は、上述した実施の形態１と同様である。【００６５】
このように、本実施の形態においては、ＡＰおよびＳＴＡは、近接のＮＤ装置を探索して接続するＮＤ装置の情報を保持し、かつＮＤ装置はＮＤ装置探索を行ったＡＰまたはＳＴＡの情報を保持するようにした。これにより、実施形態１の効果に加えて、既設のネットワークにＮＤ装置やＡＰおよびＳＴＡを接続するだけで、保持情報の事前設定を行うことなしに、本発明にかかる通信システムを実現することができる。【００６６】
実施の形態３．
つづいて、実施の形態３の通信システムについて説明する。実施形態１および２では、ＮＤ装置とＡＰとの間およびＮＤ装置とＳＴＡとの間においてカプセル化フレームを送受信する場合について説明を行ったが、次に実施の形態１と同様のシステム構成（図１参照）で、無線区間を含めたＮＤ装置相互間でカプセル化フレームを送受信する実施の形態について説明する。【００６７】
図１２−１および図１２−２は、実施の形態３の通信システムにおいて無線基地局側に配備するＮＤ装置１ｂの構成例および移動体に配備するＮＤ装置２ｂの構成例を示す図である。【００６８】
図１２−１に示したように、ＮＤ装置１ｂは、実施の形態２のＮＤ装置１ａ（図８−１参照）のフィルタ／分別部１０３ａ、複製部１０５、自ＭＡＣアドレス保持部１０８、送受信機リスト保持部１０９および送受信機−端末学習部１１０に代えて、それぞれ、フィルタ／分別部１０３ｂ、複製部１０５ｂ、自ＭＡＣアドレス保持部１０８ｂ、対向ＮＤ装置情報保持部１１２およびＮＤ装置−端末学習部１１３を備えた構成をとる。その他の部分については実施の形態２のＮＤ装置１ａと同様であるため、同一の符号を付してその説明は省略する。【００６９】
なお、複製部１０５ｂおよびＬＡＮ送信部１０２が請求項７に記載の下りデータフレーム複製送信手段を構成する。選択合成部１０６、デカプセル化部１０７およびＬＡＮ送信部１０２が請求項７に記載の上りデータフレーム選択送信手段を構成する。【００７０】
また、図１２−２に示したように、ＮＤ装置２ｂは、実施の形態２のＮＤ装置２ａ（図８−２参照）のフィルタ／分別部２０３ａ、複製部２０５、自ＭＡＣアドレス保持部２０８および送受信機リスト保持部２０９に代えて、それぞれ、フィルタ／分別部２０３ｂ、複製部２０５ｂ、自ＭＡＣアドレス保持部２０８ｂおよび対向ＮＤ装置情報保持部２１２を備えた構成をとる。その他の部分については実施の形態２のＮＤ装置２ａと同様であるため、同一の符号を付してその説明は省略する。【００７１】
なお、複製部２０５ｂおよびＬＡＮ送信部２０２が請求項７に記載の上りデータフレーム複製送信手段を構成する。選択合成部２０６、デカプセル化部２０７およびＬＡＮ送信部２０２が請求項７に記載の下りデータフレーム選択送信手段を構成する。【００７２】
図１３は、実施の形態３の各ＡＰ（ＡＰ３ｂ−１〜ＡＰ３ｂ−３とする。以下、本実施の形態の各ＡＰをまとめてＡＰ３ｂと呼ぶ）の構成例を示す図である。ＡＰ３ｂ−１〜３ｂ−３は、無線受信部３０１と、無線送信部３０２と、無線接続制御部３０３と、フレーム生成部３０４と、ＬＡＮ送信部３０７と、ＬＡＮ受信部３０８と、フィルタ部３０９と、無線フレーム生成部３１１と、ＮＤ装置探索部３１２ｂと、フィルタ部３１３と、ＮＤ装置情報管理部３１４と、ＮＤ装置情報通知部３１５と、経路学習パケット生成部３１６と、を備えている。なお、無線受信部３０１、無線送信部３０２、無線接続制御部３０３、フレーム生成部３０４、ＬＡＮ送信部３０７、ＬＡＮ受信部３０８、フィルタ部３０９および無線フレーム生成部３１１は、上述した実施の形態１のＡＰ３−１〜３−３の構成要素であって、同一の符号が付された構成要素と同様の動作を行う。そのため、これらの構成要素についての説明は省略する。【００７３】
なお、ＮＤ装置探索部３１２ｂが請求項９に記載の第１のネットワークダイバーシチ装置探索手段および第１のアドレス情報交換手段を構成する。ＮＤ装置情報通知部３１５が請求項９および１０に記載の第１のアドレス情報通知手段を構成する。【００７４】
図１４は、実施の形態３の各ＳＴＡ（ＳＴＡ４ｂ−１およびＳＴＡ４ｂ−２とする。以下、本実施の形態の各ＳＴＡをまとめてＳＴＡ４ｂと呼ぶ）の構成例を示す図である。ＳＴＡ４ｂ−１および４ｂ−２は、ＬＡＮ受信部４０１と、ＬＡＮ送信部４０２と、フィルタ部４０３と、無線フレーム生成部４０５と、無線送信部４０６と、無線受信部４０７と、無線接続制御部４０８と、フレーム生成部４０９と、ＮＤ装置探索部４１２ｂと、フィルタ部４１３と、遠隔ＮＤ装置情報管理部４１４と、遠隔ＮＤ装置情報通知部４１５と、経路学習パケット生成部４１６と、を備えている。なお、ＬＡＮ受信部４０１、ＬＡＮ送信部４０２、フィルタ部４０３、無線フレーム生成部４０５、無線送信部４０６、無線受信部４０７、無線接続制御部４０８およびフレーム生成部４０９は、上述した実施の形態１のＳＴＡ４−１および４−２の構成要素であって、同一の符号が付された構成要素と同様の動作を行う。そのため、これらの構成要素についての説明は省略する。【００７５】
なお、ＮＤ装置探索部４１２ｂが請求項９および１０に記載の第２のネットワークダイバーシチ装置探索手段および第２のアドレス情報交換手段を構成する。ＮＤ装置情報通知部４１５が請求項９および１０に記載の第２のアドレス情報通知手段を構成する。【００７６】
図１５は、ＮＤ装置１ｂが備える自ＭＡＣアドレス保持部１０８ｂの内部テーブル構成例を示す図であり、自ＭＡＣアドレス保持部１０８ｂは、自ＭＡＣアドレス格納領域１８１と、探索要求元ＡＰ格納領域１８２と、最新探索時刻格納領域１８３と、のセットを２組備えている。なお、ＮＤ装置２ｂが備えるＭＡＣアドレス保持部２０８ｂの内部テーブル構成は、図１５に示した探索要求元ＡＰ格納領域を探索要求元ＳＴＡ格納領域に置き換えたものとなる。【００７７】
図１６は、実施の形態３の通信システム内において近接ＮＤ装置を探索するシーケンス例および遠隔ＮＤ装置情報を通知するシーケンス例を示す図である。【００７８】
図１７は、自ＭＡＣアドレス保持部１０８ｂがＮＤ装置探索応答に用いる自ＭＡＣアドレスの値を決定する処理の一例を示すフローチャートである。【００７９】
図１８は、実施の形態３の通信システム内を端末装置８からサーバ装置７方向へ伝送される上りデータフレームの構成例を示す図である。図１８において、Ｆ４１は端末装置８からＮＤ装置２ｂへ伝送されるデータフレーム、Ｆ４２−１はＮＤ装置２ｂからＳＴＡ４ｂ−１へ伝送されるデータフレーム、Ｆ４２−２はＮＤ装置２ｂからＳＴＡ４ｂ−２へ伝送されるデータフレーム、Ｆ４３−１はＳＴＡ４ｂ−１からＡＰ３ｂ−１へ伝送されるデータフレーム、Ｆ４３−２はＳＴＡ４ｂ−２からＡＰ３ｂ−２へ伝送されるデータフレーム、Ｆ４４−１はＡＰ３ｂ−１からＮＤ装置１ｂへ伝送されるデータフレーム、Ｆ４４−２はＡＰ３ｂ−２からＮＤ装置１ｂへ伝送されるデータフレーム、Ｆ４５はＮＤ装置１ｂからサーバ装置７ｂへ伝送されるデータフレームである。【００８０】
また、図１９は、実施の形態３の通信システム内を端末装置８からサーバ装置７方向へ上りデータフレームが伝送される場合のシーケンス例、およびサーバ装置７から端末装置８方向へ下りデータフレームが伝送される場合のシーケンス例、を示す図である。【００８１】
つづいて、ＡＰ３ｂ（ＡＰ３ｂ−１〜ＡＰ３ｂ−３）およびＳＴＡ４ｂ（ＳＴＡ４ｂ−１，ＳＴＡ４ｂ−２）がＮＤ装置を探索する手順について、図１６を参照しながら説明する。なお、ＮＤ装置１ｂおよびＮＤ装置２ｂは、それぞれＭＡＣアドレスを複数（本実施の形態では２つ）持ち、自ＭＡＣアドレス格納域（１０８ｂ，２０８ｂ）に複数のＭＡＣアドレスを保持している。【００８２】
まず、ＡＰ３ｂがＮＤ装置を探索する手順を説明する。ＡＰ３ｂは、上述した実施の形態２のＡＰ３ａと同様の手順を実行し、ＮＤ装置探索部３１２ｂでＮＤ装置探索要求フレームＦ３１（図１６に示した“近接ＮＤ探索要求”に相当）を生成し、ＬＡＮ送信部３０７から送信する。【００８３】
ＮＤ装置探索要求フレームＦ３１を受信したＮＤ装置１ｂは、ＮＤ装置探索応答部１１１にてＮＤ装置探索応答フレームＦ３２（図１６に示した“近接ＮＤ探索応答”に相当）を生成する。このとき、自ＭＡＣアドレス保持部１０８ｂが保持している情報（自身のＭＡＣアドレス）を取得し、取得した情報をＳＲＣ（送信元アドレス）へ設定する。そして、生成されたＮＤ装置探索応答フレームＦ３２は、要求元のＡＰ３ｂ（上記ＮＤ装置探索要求フレームＦ３１を送信したＡＰ３ｂ）へ返送される。【００８４】
ここで、ＮＤ装置探索応答部１１１が自ＭＡＣアドレス保持部１０８ｂから情報を取得する際の動作を図１７に基づいて説明する。まず、自ＭＡＣアドレス保持部１０８ｂは、同一ＡＰから複数回ＮＤ装置探索要求を受けた場合には、同じ自ＭＡＣアドレスを応答する。即ち、自ＭＡＣアドレス保持部１０８ｂは、要求元ＡＰ格納領域１８２に要求元ＡＰのＭＡＣアドレスと同一の値が格納されているかどうかを確認し（ステップＳ３１）、要求元ＡＰのＭＡＣアドレスと同一の値が格納されていれば（ステップＳ３１，Ｙｅｓ）、該当する自ＭＡＣアドレス格納領域１８１に格納されている値（自身のＭＡＣアドレス）をＮＤ装置探索応答部１１１に返す（ステップＳ３２）。一方、要求元ＡＰ格納領域１８２に要求元ＡＰのＭＡＣアドレスと同一の値が格納されていなければ（ステップＳ３１，Ｎｏ）、自ＭＡＣアドレス保持部１０８ｂは、ＮＤ装置探索応答に用いていない自ＭＡＣアドレスを優先して用いる。即ち、探索要求元ＡＰ格納領域１８２の中に空の領域があるかどうかを確認し（ステップＳ３３）、空の領域があれば（ステップＳ３３，Ｙｅｓ）、該当する自ＭＡＣアドレス格納領域１８１の値をＮＤ装置探索応答部１１１に返す（ステップＳ３４）。空の領域が複数ある場合にはその中のいずれかを選択する。このとき、自ＭＡＣアドレスが使用中であることを示すために、探索要求元ＡＰ格納領域１８２に要求元ＡＰ情報を格納する（ステップＳ３６）。【００８５】
また、自ＭＡＣアドレス保持部１０８ｂは、全ての自ＭＡＣアドレスが使用中の場合（ステップＳ３３，Ｎｏ）、最古に使用した自ＭＡＣアドレスを選択し、選択した自ＭＡＣアドレスをＮＤ装置探索応答部１１１に返す（ステップＳ３５）。この場合も上記ステップＳ６を実行し、探索要求元ＡＰ格納領域１８２に要求元ＡＰ情報を格納する。【００８６】
そして、ＮＤ装置探索応答部１１１に返した自ＭＡＣアドレスに対応する最新探索時刻格納領域１８３の情報を現在時刻で更新（最新探索時刻格納領域１８３の対応する領域へ現在時刻の情報を格納）する（ステップＳ３７）。【００８７】
ＮＤ装置探索要求フレームＦ３１送信に対する応答であるＮＤ装置探索応答フレームＦ３２を受信したＡＰ３ｂは、上記ＡＰ３ａと同様に、ＮＤ装置探索部３１２ｂで、ＮＤ装置探索応答フレームＦ３２に含まれるＮＤ装置１ｂの情報（ＭＡＣアドレス情報）を保持しておく。【００８８】
次に、ＳＴＡ４ｂがＮＤ装置を探索する手順を説明する。ＳＴＡ４ｂは、上述した実施の形態２のＳＴＡ４ａと同様の手順を実行し、ＮＤ装置探索要求フレームＦ３１を送信する。【００８９】
ＮＤ装置２ｂは、上述したＮＤ装置１ｂと同様の手順で、自ＭＡＣアドレスのうち１つを選択し、ＮＤ装置探索応答フレームＦ３２にて送信する。【００９０】
ＳＴＡ４ｂは、上記ＳＴＡ４ａと同様に、ＮＤ装置探索部４１２ｂで、ＮＤ装置探索応答フレームＦ３２に含まれるＮＤ装置２ｂの情報を保持しておく。【００９１】
つづいて、ＡＰ３ｂおよびＳＴＡ４ｂが、遠隔ＮＤ装置情報を交換し、近接ＮＤ装置に通知する手順について、図１６を参照しながら説明する。【００９２】
ＡＰ３ｂおよびＳＴＡ４ｂは、無線リンクを確立した場合、ＮＤ装置探索部３１２ｂおよびＮＤ装置探索部４１２ｂでそれぞれ保持するＮＤ装置情報を相互に通知する（図１６に示した“ＮＤ情報交換”に相当）。【００９３】
そして、ＡＰ３ｂは、ＳＴＡ４ｂから通知されたＮＤ装置２ｂの情報を、遠隔ＮＤ装置情報管理部３１４で保持しておく。また、遠隔ＮＤ装置通知部３１５でＮＤ装置２ｂの情報を含んだ遠隔ＮＤ装置通知メッセージ（図１６に示した“遠隔ＮＤ通知”に相当）を生成し、近接のＮＤ装置１ｂへ送信する。さらに、カプセル化データフレームがＬ２スイッチ５からＡＰ３ｂに流れるよう、経路学習パケット生成部３１６で、経路学習パケットを生成し、Ｌ２スイッチ５へ送信する。なお、経路学習パケットは、例えばＮＤ装置２ｂを送信元とするＡＲＰ（Address  Resolution  Protocol）パケットを用いる。【００９４】
ＮＤ装置１ｂは、ＡＰ３ｂから遠隔ＮＤ装置通知メッセージを受信すると、通知された情報を対向ＮＤ装置情報保持部１１２で保持しておく。【００９５】
上記ＡＰ３ｂの処理と同様に、ＳＴＡ４ｂは、ＡＰ３ｂから通知されたＮＤ装置１ｂの情報を、遠隔ＮＤ装置情報管理部４１４で保持しておく。また、遠隔ＮＤ装置情報通知部４１５でＮＤ装置１ｂ情報を含んだ遠隔ＮＤ装置通知メッセージ（図１６に示した“遠隔ＮＤ通知”に相当）を生成し、近接のＮＤ装置２ｂへ送信する。さらに、カプセル化データフレームがＬ２スイッチ６からＳＴＡ４ｂに流れるよう、経路学習パケット生成部４１６で、経路学習パケットを生成し、Ｌ２スイッチ６へ送信する。なお、経路学習パケットは、例えばＮＤ装置１ｂを送信元とするＡＲＰパケットを用いる。【００９６】
ＮＤ装置２ｂは、ＳＴＡ４ｂから遠隔ＮＤ装置通知メッセージを受信すると、通知された情報を対向ＮＤ装置情報保持部２１２で保持しておく。【００９７】
つづいて、端末装置８からサーバ装置７へ流れる上り方向のトラヒックの伝送動作について説明する。ＮＤ装置２ｂにおいて、カプセル化部２０４は、データフレームＦ４１をカプセル化し、複製部２０５ｂへ渡す。複製部２０５ｂは、受け取ったカプセル化データフレームを複製し、さらに、自ＭＡＣアドレス保持部２０８ｂが保持している情報を取得して、２つの自ＭＡＣアドレス（Ｍ１＿ＮＤ２ｂ，Ｍ２＿ＮＤ２ｂ）をそれぞれのカプセル化データフレームの送信元アドレスに設定する。また、対向ＮＤ装置情報保持部２１２が保持している情報を用いて、宛先を遠隔ＮＤ装置１ｂの２つのＭＡＣアドレス（Ｍ１＿ＮＤ１ｂ，Ｍ２＿ＮＤ１ｂ）にそれぞれ設定することによりＦ４２−１およびＦ４２−２を生成する。【００９８】
ＳＴＡ４ｂ−１には、経路学習結果に従ってＬ２スイッチ６からカプセル化フレームのうち１つが届く。ここではカプセル化フレームＦ４２−１がＳＴＡ４ｂ−１へ届くものとする。ＳＴＡ４ｂ−１は、受信したカプセル化フレームのデカプセル化を行わず、無線データフレームＦ４３−１を生成して接続中のＡＰ３ｂ−１へ送信する。【００９９】
一方、ＳＴＡ４ｂ−２にも、経路学習結果に従ってＬ２スイッチ６からカプセル化フレームのうち１つが届く。ここではカプセル化フレームＦ４２−２がＳＴＡ４ｂ−２へ届くものとする。ＳＴＡ４ｂ−２は、受信したカプセル化フレームのデカプセル化を行わず、無線データフレームＦ４３−２を生成して接続中のＡＰ３ｂ−２へ送信する。【０１００】
ＡＰ３ｂは、無線受信部３０１で受信したデータフレームからＥｔｈｅｒｎｅｔ（登録商標）フレームを生成してＮＤ装置１ｂへ送信する。このときフレームのカプセル化を行わない。【０１０１】
ＮＤ装置１ｂは、選択合成部１０６でＡＰ３ｂ−１および３ｂ−２から受信した同一フレームのうち１つを選択してデカプセル化部１０７へ渡す。デカプセル化部１０７は、受け取ったカプセル化データフレームからカプセル化ヘッダを取り除いて、サーバ装置７へ送信する。【０１０２】
このとき、送信元情報であるＮＤ装置２ｂのＭＡＣアドレスの１つとトラヒック源である端末装置８のアドレス情報は、選択合成部１０６からＮＤ装置−端末学習部１１３へ渡される。ＮＤ装置−端末学習部１１３は、受け取ったＮＤ装置２ｂのＭＡＣアドレス情報および端末装置８のアドレス情報を関連付けて保持しておき、逆方向のトラヒック（下りトラヒック）の伝送動作に備える。【０１０３】
サーバ装置７から端末装置８へ流れる下り方向のトラヒックの伝送動作については、上述した上り方向のトラヒックの伝送動作とほぼ同じであるが、ＮＤ装置１ｂでは、複製部１０５ｂが端末装置８のアドレス情報をキーにＮＤ装置−端末学習部１１３が保持している情報を取得し、取得した情報を用いてカプセル化データフレームの宛先アドレスを決定する点が異なる。なお、この複製部１０５ｂが宛先アドレスを決定する動作は、実施の形態１で示した複製部１０５がＡＰ３−１のアドレス情報およびＡＰ３−２のアドレス情報を取得する手順と同様である。【０１０４】
図１９は、以上の端末装置８およびサーバ装置７の間で流れる上り／下り方向のトラヒックの伝送動作の様子を示した図である。【０１０５】
このように、本実施の形態においては、ＡＰおよびＳＴＡが行った近接ＮＤ装置の探索結果を、無線リンクを介して対向する遠隔ＮＤ装置へ通知し、かつＬ２スイッチに遠隔ＮＤ装置のＭＡＣアドレスを学習させ、ＮＤ装置のみでカプセル化データフレームの終端を行うようにした。これにより、実施形態１および２の効果に加えて、通信システム内におけるカプセル化処理およびデカプセル化処理に伴う伝送遅延を削減することができる。【０１０６】
実施の形態４．
つづいて、実施の形態４の通信システムについて説明する。実施形態１〜３は、サーバ装置７が送信したデータフレームを全て端末装置８に伝送するものであるが、次に実施の形態１と同様のシステム構成で、データフレームのうちＡＲＰ要求フレームに関してＮＤ装置が端末装置の代理として応答する実施の形態について説明する。【０１０７】
図２０は、実施の形態４の通信システムにおいて無線基地局側に配備するＮＤ装置１ｃの構成例を示している。このＮＤ装置１ｃは、実施の形態１のＮＤ装置１のフィルタ／分別部１０３に代えてフィルタ／分別部１０３ｃを備え、さらにＡＲＰパケット生成手段を構成する代理ＡＲＰ応答生成部１１４が追加された構成をとる。その他の部分については実施の形態１のＮＤ装置１と同様であるため、同一の符号を付してその説明は省略する。【０１０８】
次にＮＤ装置１ｃがＡＲＰ代理応答する手順について説明する。ＮＤ装置１ｃのフィルタ／分別部１０３ｃは、ＡＲＰ要求フレームを受信した場合、そのフレームを代理ＡＲＰ応答生成部１１４に振り分ける。なお、ＡＲＰ要求フレーム以外のフレームを受信した場合には、実施の形態１のフィルタ／分別部１０３と同様の動作を行う。【０１０９】
代理ＡＲＰ応答生成部１１４は、ＡＲＰ要求フレームを受け取ると、当該ＡＲＰ要求フレームの解決対象アドレスが、送受信機−端末学習部１１０の学習内容に含まれるかどうかを送受信機−端末学習部１１０へ問い合わせる。当該ＡＲＰ要求フレームが、端末装置８のＭＡＣアドレス問い合わせであれば、送受信機−端末学習部１１０がＭＡＣアドレス情報を保持しているため、代理ＡＲＰ応答生成部１１４は、当該情報を用いてＡＲＰ応答フレームを生成する。【０１１０】
なお、本実施の形態においては、実施の形態１のＮＤ装置がフィルタ／分別部１０３ｃおよび代理ＡＲＰ応答生成部１１４を備える場合の例について説明したが、これに限らず、実施の形態２および３のＮＤ装置がフィルタ／分別部１０３ｃおよび代理ＡＲＰ応答生成部１１４を備えるようにしてもよい。【０１１１】
このように、本実施の形態においては、ＡＲＰ要求フレームをＮＤ装置で代理応答するようにして無線通信区間にてマルチキャストフレームが伝送されないようにした。これにより、実施形態１〜３の効果に加えて、通信システム内の伝送負荷を低減させることができる。【０１１２】
実施の形態５．
つづいて、実施の形態５の通信システムについて説明する。実施形態１〜４は、ＮＤ装置がデータフレームを複製して各送受信機（ＡＰ，ＳＴＡ）に１フレームずつ配送する場合の動作について説明したが、次に実施の形態１と同様のシステム構成で、データフレームを複製せず１回の送信で複数のＡＰまたはＳＴＡにカプセル化データフレームを送達させる実施形態について説明する。【０１１３】
図２１は、実施の形態５のＮＤ装置の構成例を示す図であり、一例として無線基地局側に配備するＮＤ装置１ｄの構成例を示している。なお、移動体に配備するＮＤ装置の構成も同様である。このＮＤ装置１ｄは、ＬＡＮ受信部１０１と、ＬＡＮ送信部１０２と、フィルタ／分別部１０３と、カプセル化部１０４ｄと、選択合成部１０６と、デカプセル化部１０７と、自ＭＡＣアドレス保持部１０８と、を備えている。なお、ＬＡＮ受信部１０１、ＬＡＮ送信部１０２、フィルタ／分別部１０３、選択合成部１０６、デカプセル化部１０７および自ＭＡＣアドレス保持部１０８は、上述した実施の形態１のＮＤ装置１の構成要素であって、同一の符号が付された構成要素と同様の動作を行う。すなわち、このＮＤ装置１ｄは、ＮＤ装置１の構成のサブセットであり、カプセル化部１０４ｄが本実施の形態特有の機能を有している。【０１１４】
図２２は、実施の形態５の通信システム内をサーバ装置７から端末装置８方向へ伝送される下りデータフレームの構成例を示す図であり、Ｆ５１はサーバ装置７からＮＤ装置１ｄへ伝送されるデータフレーム、Ｆ５２はＮＤ装置１ｄからＡＰ３−１およびＡＰ３−２へ、それぞれ伝送されるデータフレームである。【０１１５】
図２３は、実施の形態５の通信システム内を端末装置８からサーバ装置７方向へ上りデータフレームが伝送される場合のシーケンス例、およびサーバ装置７から端末装置８方向へ下りデータフレームが伝送される場合のシーケンス例、を示す図である。【０１１６】
つづいて、サーバ装置７から端末装置８へ流れる下り方向のトラヒックの伝送動作のうち、ＮＤ装置１ｄが上りデータフレームをＡＰ３−１および同３−２へ伝送する動作について説明する。なお、ＮＤ装置１ｄは、ＡＰ３−１および３−２が所属するマルチキャストグループのアドレスを認識しており、カプセル化部１０４ｄがその情報を保持している。また、Ｌ２スイッチ５は、ＡＰ３−１および３−２が所属するマルチキャストグループのアドレスを認識しており、その情報に従いフレームを振り分ける能力を有している。【０１１７】
ＮＤ装置１ｄにおいて、カプセル化部１０４は、サーバ装置７から受信したデータフレームＦ５１のカプセル化を行い、さらに、自ＭＡＣアドレス保持部１０８が保持している情報を用いて送信元アドレスを設定する。また、宛先アドレスをＡＰ３−１および３−２が所属するマルチキャストグループアドレスとしてカプセル化データフレームＦ５２を生成する。そして、生成されたカプセル化データフレームＦ５２は、ＬＡＮ送信部１０２から送信される。【０１１８】
Ｌ２スイッチ５は、ＮＤ装置１ｄから送信されたカプセル化データフレームＦ５２の宛先アドレス情報に従い、マルチキャストグループに所属するＡＰ３−１および３−２にこのカプセル化データフレームＦ５２を転送する。【０１１９】
なお、ＡＰ３−１および３−２へカプセル化データフレームＦ５２が到着した後の動作については、上述した実施の形態１と同様である。【０１２０】
また、端末装置８からサーバ装置７へ流れる上り方向のトラヒックの伝送動作についても、移動体に配備するＮＤ装置とＳＴＡ４−１および４−２との間のカプセル化データフレーム転送に関してマルチキャストアドレスを使用することができる。【０１２１】
なお、実施の形態２〜４のＮＤ装置がデータフレームをカプセル化した際に、その宛先アドレスとしてマルチキャストアドレスを設定するようにしてもよい。【０１２２】
このように、本実施の形態においては、ＮＤ装置でデータフレームの複製を行わず、カプセル化フレームの宛先情報にマルチキャストアドレスを使用して、ＮＤ装置が送信するカプセル化データフレームの送信回数は１回で済むようにした。これにより、実施形態１〜４の効果に加えて、ＮＤ装置の伝送負荷を低減させることができる。【０１２３】
実施の形態６．
つづいて、実施の形態６の通信システムについて説明する。上述した実施形態３では、ＮＤ装置がそれぞれＭＡＣアドレスを２つ持ち、それらを通信経路によって使い分ける動作について説明したが、次に、各ＮＤ装置のＭＡＣアドレスを１つにする代わりにＶＬＡＮ（Virtual  LAN）を用いて通信経路を使い分ける実施の形態について説明する。【０１２４】
図２４は、実施の形態６の通信システムの構成例を示す図である。本実施の形態の通信システムは、無線基地局側のネットワークダイバーシチ装置（ＮＤ装置）１ｅと、移動体に配備するＮＤ装置２ｅと、ＡＰ３ｅ−１〜３ｅ−３と、ＳＴＡ４ｅ−１および４ｅ−２と、ＶＬＡＮをサポートするＬ２スイッチ５ｅおよび６ｅと、を備える。【０１２５】
図２５は、実施の形態６のＮＤ装置の構成例を示す図であり、一例として無線基地局側に配備するＮＤ装置１ｅの構成例を示している。なお、移動体に配備するＮＤ装置の構成も同様である。このＮＤ装置１ｅは、上述した実施の形態３のＮＤ装置１ｂ（図１２−１参照）からＮＤ装置−端末学習部１１３を削除し、また、カプセル化部１０４、複製部１０５ｂおよび自ＭＡＣアドレス保持部１０８ｂに代えてカプセル化部１０４ｅ、複製部１０５ｅおよび自ＭＡＣアドレス保持部１０８を備えた構成をとる。その他の部分については、実施の形態３のＮＤ装置１ｂと同様であるため同一の符号を付してその説明は省略する。なお、自ＭＡＣアドレス保持部１０８は、実施の形態１のＮＤ装置１が備える自ＭＡＣアドレス保持部１０８と同様である。【０１２６】
なお、複製部１０５ｅおよびＬＡＮ送信部１０２が請求項８に記載の上りデータフレーム複製送信手段および下りデータフレーム複製送信手段と、請求項１５に記載の下りデータフレーム複製送信手段と、請求項１６に記載の上りデータフレーム複製送信手段とを構成する。選択合成部１０６、デカプセル化部１０７およびＬＡＮ送信部１０２が請求項８に記載の上りデータフレーム選択送信手段および下りデータフレーム選択送信手段と、請求項１５に記載の下りデータフレーム選択送信手段と、請求項１６に記載の上りデータフレーム選択送信手段とを構成する。【０１２７】
図２６は、実施の形態６の各ＡＰ（ＡＰ３ｅ−１〜ＡＰ３ｅ−３とする。以下、本実施の形態の各ＡＰをまとめてＡＰ３ｅと呼ぶ）の構成例を示す図であり、ＡＰ３ｅ−１〜ＡＰ３ｅ−３は、実施の形態３のＡＰ３ｂ−１〜３ｂ−３（図１３参照）から経路学習パケット生成部３１６を削除した構成であり、その他の部分についてはＡＰ３ｂ−１〜３ｂ−３と同様である。そのため、同一の符号を付してその説明は省略する。【０１２８】
図２７は、実施の形態６の各ＳＴＡ（ＳＴＡ４ｅ−１，ＳＴＡ４ｅ−２とする。以下、本実施の形態の各ＳＴＡをまとめてＳＴＡ４ｅと呼ぶ）の構成例を示す図であり、ＳＴＡ４ｅ−１および４ｅ−２は、実施の形態３のＳＴＡ４ｂ−１および４ｂ−２（図１４参照）から経路学習パケット生成部４１６を削除した構成であり、その他の部分についてはＳＴＡ４ｂ−１および４ｂ−２と同様である。そのため、同一の符号を付してその説明は省略する。【０１２９】
図２８は、実施の形態６の通信システム内を端末装置８からサーバ装置７方向へ伝送される上りデータフレームの構成例を示す図である。図２８において、Ｆ６１は端末装置８からＮＤ装置２ｅへ伝送されるデータフレーム、Ｆ６２−１はＮＤ装置２ｅからＳＴＡ４ｅ−１へ伝送されるデータフレーム、Ｆ６２−２はＮＤ装置２ｅからＳＴＡ４ｅ−２へ伝送されるデータフレーム、Ｆ６３−１はＳＴＡ４ｅ−１からＡＰ３ｅ−１へ伝送されるデータフレーム、Ｆ６３−２はＳＴＡ４ｅ−２からＡＰ３ｅ−２へ伝送されるデータフレーム、Ｆ６４−１はＡＰ３ｅ−１からＮＤ装置１ｅへ伝送されるデータフレーム、Ｆ６４−２はＡＰ３ｅ−２からＮＤ装置１ｅへ伝送されるデータフレーム、Ｆ６５はＮＤ装置１ｅからサーバ装置７へ伝送されるデータフレームである。なお、図２８において、Ｖ１およびＶ２は、それぞれＶＬＡＮ識別子＃１およびＶＬＡＮ識別子＃１を示している。【０１３０】
つづいて、端末装置８からサーバ装置７へ流れる上り方向のトラヒックの伝送動作について説明する。【０１３１】
なお、Ｌ２スイッチ５ｅは、接続されたＡＰ３ｅ−１〜３ｅ−３が複数の通信経路のいずれに用いられるかを認識しており、経路毎のＶＬＡＮ識別子を認識しているものとする。例えば、本実施の形態のシステム（図２４参照）において、ＡＰ３ｅ−１とＳＴＡ４ｅ−１との通信が途絶したときの代替としてＡＰ３ｅ−３とＳＴＡ４ｅ−１との間の通信が使用される場合、ＡＰ３ｅ−１とＡＰ３ｅ−３は同一のＶＬＡＮに所属する。また、Ｌ２スイッチ６ｅは、Ｌ２スイッチ５ｅと同様に経路毎のＶＬＡＮ識別子を認識しているものとする。また、ＮＤ装置１ｅおよび２ｅは、経路毎のＶＬＡＮ識別子を認識しており、その情報を複製部１０５ｅが保持している。【０１３２】
移動体に配備するＮＤ装置において、カプセル化部１０４ｅは、端末装置８から受信したデータフレームＦ６１のカプセル化を行う。複製部１０５ｅは、カプセル化データフレームを複製し、自ＭＡＣアドレス保持部１０８が保持している情報を用いてそれぞれのカプセル化データフレームの送信元アドレスに自ＭＡＣアドレスを設定する。また、対向ＮＤ装置情報保持部１１２が保持している情報を用いて、遠隔ＮＤ装置であるＮＤ装置１ｅのＭＡＣアドレスを宛先アドレスに設定する。また、カプセル化ヘッダのＶＬＡＮ識別子領域には、２つの経路にそれぞれ固有の値を設定することによりカプセル化データフレームＦ６２−１およびＦ６２−２を生成する。そして、生成されたカプセル化データフレームＦ６２−１およびＦ６２−２は、ＬＡＮ送信部１０２から送信される。【０１３３】
Ｌ２スイッチ６ｅは、カプセル化データフレームのＶＬＡＮ識別子に従い、ＮＤ装置２ｅから受け取ったカプセル化データフレームを振り分ける。具体的には、カプセル化データフレームＦ６２−１がＳＴＡ４ｅ−１へ渡され、カプセル化データフレームＦ６２−２がＳＴＡ４ｅ−２へ渡される。【０１３４】
なお、サーバ装置７から端末装置８へ流れる下り方向のトラヒックの伝送動作についても、同様にＶＬＡＮ識別子で伝送経路を識別することができる。【０１３５】
このように、本実施の形態においては、ＶＬＡＮ識別子で通信経路を使い分けることとした。これにより、各ＮＤ装置に割り当てるＭＡＣアドレスが１つであっても実施形態３と同様の効果を得ることができる。【０１３６】
実施の形態７．
つづいて、実施の形態７の通信システムについて説明する。上述した実施形態１〜６においては、移動体がＳＴＡを複数備えるシステム構成におけるネットワークダイバーシチ動作について説明したが、ＣＳＭＡ／ＣＡ（Carrier  Sense  Multiple  Access  with  Collision  Avoidance）等により同一チャネルを時分割で供用するなどして単一のＳＴＡが複数のＡＰと通信を行うシステム構成でもよい。【０１３７】
また、上述した実施形態１〜６においては、移動体側のＮＤ装置とＬ２スイッチが独立した構成の通信システムについて説明を行ったが、ＮＤ装置がＬ２スイッチ機能を兼ねることにより、ＳＴＡとＮＤ装置を一体化させた構成としてもよい。【０１３８】
なお、図２９は、単一のＳＴＡで複数のＡＰと通信を行う移動体内部の構成例を示す図である。また、図３０は、ＳＴＡとＮＤ装置を一体化させた装置を配備した移動体内部の構成例を示す図である。【０１３９】
このように、本実施の形態においては、単一のＳＴＡが時分割等により複数のＡＰと独立に通信できるようにしているので、単一のＳＴＡを移動体に配するのみで、上述した各実施形態と同様の効果を得ることができる。また、Ｌ２スイッチ機能を兼ねるＮＤ装置を用いてＳＴＡとＮＤ装置を一体化させるようにしているので、移動体に唯一の装置（ＳＴＡとＮＤ装置を一体化させた装置）を配することで、上述した各実施形態と同様の効果を得ることができる。
【産業上の利用可能性】
【０１４０】
以上のように、本発明にかかる通信システム、通信装置、無線基地局および無線端末局は、ネットワークダイバーシチ通信を利用したシームレスな通信を実現する場合に適している。
【図１】
2008099446.tif 000003
【図２−１】
2008099446.tif 000004
【図２−２】
2008099446.tif 000005
【図３】
2008099446.tif 000006
【図４】
2008099446.tif 000007
【図５】
2008099446.tif 000008
【図６】
2008099446.tif 000009
【図７】
2008099446.tif 000010
【図８−１】
2008099446.tif 000011
【図８−２】
2008099446.tif 000012
【図９】
2008099446.tif 000013
【図１０】
2008099446.tif 000014
【図１１】
2008099446.tif 000015
【図１２−１】
2008099446.tif 000016
【図１２−２】
2008099446.tif 000017
【図１３】
2008099446.tif 000018
【図１４】
2008099446.tif 000019
【図１５】
2008099446.tif 000020
【図１６】
2008099446.tif 000021
【図１７】
2008099446.tif 000022
【図１８】
2008099446.tif 000023
【図１９】
2008099446.tif 000024
【図２０】
2008099446.tif 000025
【図２１】
2008099446.tif 000026
【図２２】
2008099446.tif 000027
【図２３】
2008099446.tif 000028
【図２４】
2008099446.tif 000029
【図２５】
2008099446.tif 000030
【図２６】
2008099446.tif 000031
【図２７】
2008099446.tif 000032
【図２８】
2008099446.tif 000033
【図２９】
2008099446.tif 000034
【図３０】
2008099446.tif 000035
【国際調査報告】
2008099446.tif 000036
2008099446.tif 000037
2008099446.tif 000038
2008099446.tif 000039
2008099446.tif 000040
2008099446.tif 000041